(57)【要約】摩擦でトルクを伝達することができる少なくとも２つの回転変速要素を有する回転変速機において、好ましくは液体のみで満たされる少なくとも１つの隙間は、少なくとも動作の間、変速要素の間で提供される。
2006501426.tif 000002
【特許請求の範囲】
【請求項１】
摩擦でトルクを伝達することができる少なくとも２つの回転変速要素を有する回転変速機であって、
好ましくは液体だけで満たされる隙間は、少なくとも動作の間、前記変速要素の間で提供されることにおいて特徴づけられる回転変速機。
【請求項２】
請求項１に記載の変速機であって、
前記回転変速要素および／または連結要素のうちの少なくとも１つは、メチル・シロキサン、ジメチル・ジフェニル・シロキサン、および／または、フェニル基を有するメチル・フェニル・シロキサン、および／またはアルキル置換γ-トリフルオロプロピル置換メチル・シロキサンからなる液体で湿らされることにおいて特徴づけられる変速機。
【請求項３】
請求項２のうちの１つに記載の変速機であって、
前記回転変速要素および／または前記連結要素のうちの少なくとも１つは、ポリジメチル・シロキサン、ポリジメチル・ジフェニル・シロキサン、および／または、フェニル基を有し、および／または、アルキル置換γ-トリフルオロプロピル置換されたポリメチル・フェニル・シロキサンからなる液体で湿らされることにおいて特徴づけられる変速機。
【請求項４】
請求項２または３に記載の変速機であって、
前記液体は、有機置換基を有する成分を具備することにおいて特徴づけられる変速機。
【請求項５】
請求項１から４のうちの１つに記載の変速機であって、
前記回転変速機のうちの少なくとも１つ、および／または、前記連結要素は、温度に関してその粘性が安定する液体により湿らされることにおいて特徴づけられる変速機。
【請求項６】
請求項１から５のうちいずれか１つに記載の変速機であって、
前記回転変速要素および／または前記連結要素のうちの少なくとも１つは、鉱油の粘性変化度（８０）とジメチル・シロキサンの粘性変化度（８１）との間に位置する粘性が温度に依存する粘性変化度により変更する液体で湿らされることにおいて特徴づけられる変速機。
【請求項７】
請求項１から６のうちの１つに記載の変速機であって、
前記回転変速要素および／または前記連結要素のうちの少なくとも１つは、鉱油の圧縮性変化度とジメチル・シロキサンの圧縮性変化度との間に位置する圧縮性が温度に依存する圧縮性変化度により変更する液体で湿らされることにおいて特徴づけられる変速機。
【請求項８】
請求項１から７のうちの１つに記載の変速機であって、
少なくとも１つの回転変速要素の動作経路は、異なる表面を有することにおいて特徴づけられる変速機。
【請求項９】
請求項８に記載の変速機であって、
異なる幅および／または異なる表面組織および／または表面処理の溝または突起は、前記回転変速要素の少なくとも１つに沿って提供されることにおいて特徴づけられる変速機。
【請求項１０】
請求項１から９のうちの１つに記載の変速機であって、
前記連結要素は、処理された表面を有する少なくとも１つの動作表面、特に溝を有する少なくとも１つの動作表面を有することにおいて特徴づけられる変速機。
【請求項１１】
請求項１から１０のうちの１つに記載の変速機であって、
特に、前記結合要素の前記動作表面および／または、前記対応する変速要素の前記対応する動作表面を湿らす液体と共に、および／または、前記結合要素の単一の側のホルダと共に、前記結合要素は、直線から逸脱している横断面を有する少なくとも１つの動作表面を有し、凹状のおよび／または冠部を持つ横断面を好ましくは有することにおいて特徴づけられる変速機。
【請求項１２】
無段部分変速機を有する請求項１から１１のうちの１つに記載の変速機であって、
２つの変速経路は並列に結合され、無段部分変速機は前記２つの変速経路の第１の経路において提供されていることにより特徴づけられる変速機。
【請求項１３】
請求項１２に記載の変速機であって、
後退用ギア、第１速ギア、および／または、オーバードライブは、前記２つの変速経路の第２の経路において提供されることにおいて特徴づけられる変速機。
【請求項１４】
請求項１２または１３に記載の変速機であって、
少なくとも１つのフリーホイールは、前記２つの変速経路の間で提供されることにおいて特徴づけられる変速機。
【請求項１５】
請求項１２から１４のうちの１つに記載の変速機であって、
前記無段部分変速が、差動装置ギア部または遊星ギア部のような２つの電力分割器（４１、４２）の間に位置し、前記無段部分変速の少なくとも１つのインプットは、少なくとも１つのインプット側の電力分割器のアウトプットに機械的に結合され、かつ、前記無段部分変速機の少なくとも１つのアウトプットは、少なくとも１つのアウトプット側の電力分割器のインプットに機械的に結合されていることにおいて特徴づけられる変速機。
【請求項１６】
請求項１から１５のうちの１つに記載の変速機であって、
少なくとも１つの前進用ギアおよび少なくとも１つの後退用ギアは、差動装置ギア部（２３）により実行され、前記差動装置ギア部の少なくとも１つのアセンブリは、前記ハウジング、および／または、前記差動装置ギア部の他のアセンブリと交互に固定されることが可能であることにおいて特徴づけられる変速機。
【請求項１７】
請求項１から１６のうちの１つに記載の変速機であって、
切替ギア部（３）経由で交互に係合されることができる少なくとも２つの変速経路（１、２）により特徴づけられる変速機。
【請求項１８】
請求項１７に記載の変速機であって、
前記２つの変速経路のアウトプットは、前記２つの変速段階の一方から他方への切替手順の前に前記第２の変速経路の速度は、無段変速機により前記第１の変速経路の速度に適応することができる。ように連結されることにおいて特徴づけられる変速機。
【請求項１９】
請求項１７または１８に記載の変速機であって、
前記第２の変速経路は、差動ギア要素（２３）を備えることにおいて特徴づけられる変速機。
【請求項２０】
請求項１７から１９のうちの１つに記載の変速機であって、
第３の変速経路は、第２の切替ギア部を経て、および／または、フリーホイールを経て係合されることができることにおいて特徴づけられる変速機。
【請求項２１】
請求項１７から２０のうちの１つに記載の変速機であって、
切替ギア部（３）は、前記無段部分変速機（１）をトリロクコンバータ（２０）のポンプホイール（２１）に連結し、かつ、前記第２の変速段階（２）は、前記トリロクコンバータ（２０）のタービンホイール（２２）に連結されることにおいて特徴づけられる変速機。
【請求項２２】
請求項１から２１のうちの１つに記載の無段部分変速機を有する変速機であって、
同軸的に配置された駆動（５３）およびアウトプット（５０）によって特徴づけられる変速機。
【請求項２３】
請求項２２に記載の変速機であって、
連続変速機のアウトプット（５６）によって駆動される差動装置ギア部（５９）は、前記同軸アウトプット（５０）において提供されることにおいて特徴づけられる変速機。
【請求項２４】
請求項１から２３のうちの１つに記載の変速機であって、
無段部分変速のための電動モータ駆動によって特徴づけられる変速機。
【請求項２５】
請求項１から２４のうちの１つに記載の変速機であって、
始動クラッチおよび／またはコンバータ（トリロクコンバータ）、摩擦ディスク配置、油圧クラッチ、または、同期のような解放点は、前記アウトプット側面に提供されることにおいて特徴づけられる変速機。
【請求項２６】
請求項１から２５のうちの１つに記載の変速機であって、
始動クラッチおよび／またはコンバータ（トリロクコンバータ２０）、摩擦ディスク配置、油圧クラッチ、または、同期（３）のような解放点は、前記駆動側面に提供されることにおいて特徴づけられる変速機。
【請求項２７】
請求項１から２６のうちの１つに記載の変速機であって、
２つの部分変速機（１、２；１０１、１０２）は、共に導かれ、および／または、続く変速経路（１５、１１５）の駆動（２７；１２７）においてそれらのアウトプット（２６、１２６；２９；１２９）と係合することにおいて特徴づけられる変速機。
【請求項２８】
請求項２７に記載の変速機であって、
前記続く変速経路の駆動（１２７）は、自動車の前記主差動装置（１１５）であることにおいて特徴づけられる変速機。
【請求項２９】
請求項２７または２８に記載の変速機であって、
前記２つの部分変速機（１、２；１０１、１０２）の各々は、係合および／または分離されることができることにおいて特徴づけられる変速機。
【請求項３０】
異なる軸で回転する少なくとも２つの変速要素は圧力装置を経て互いに支えられる請求項１から２９のうちの１つに記載の変速機であって、
クラッチ要素（１３４）は、前記２つの変速要素（１０４、１０５）が交互に、クラッチ要素（１３４）を開けることにより第３の変速要素（１１５、１２９）から分離され、または、前記クラッチ要素（１３４）を閉じることにより前記第３の変速要素（１１５、１２９）に結合されることができ、かつ、前記圧力装置（１０８）により適用された前記圧力によって閉じるように提供されることにおいて特徴づけられる変速機。
【請求項３１】
請求項３０に記載の変速機であって、
前記クラッチ要素（１３４）は、コーンクラッチ（１５６、１５７）を備えることにおいて特徴づけられる変速機。
【請求項３２】
先行する請求項のうちの１つに記載の変速機であって、
前記無段変速機（２０１）と直列に、前記アウトプット（２０４）の後ろに提供される後退用ギア（２０２）を有する変速機。
【請求項３３】
請求項３２に記載の変速機であって、
前記後退用ギアは、遊星歯車を備え、前記遊星歯車は、前記遊星歯車の少なくとも１つの変速要素（２１５、２１６）を取り付け、かつ、固定されたマウント（２２７、２３２）および／または、回転変速要素（２０９、２１７；２１２、２１８）と交互に固定されることができる少なくとも１つの回転ギア・マウント（２２５、２２６）を有することにおいて特徴づけられる変速機。
【請求項３４】
請求項３２または３３に記載の変速機であって、
前記後退用ギア（２０２）は、第１の変速要素（２０９、２１２）が、前記コーン形の摩擦リング変速機（２０１）のアウトプット（２０７）に機械的に結合され、第２の変速要素（２１７、２１８）が、変速機（２０１）および後退用ギア（２０２）からなる全体の配置のアウトプット（２２０、２２３）に、機械的に結合され、一方で、第３の変速要素（２１５、２１６）が、マウントまたはハウジング（２２７、２３２）に関係して少なくとも１つの自由度に関して固定されることができる遊星歯車（２１５、２１６）を有する遊星ギア（２１０、２１１）、太陽歯車（２１９、２１２）、および、外付けホイール（２１７、２１８）を備えることにおいて特徴づけられる変速機。
【請求項３５】
請求項３４に記載の変速機であって、
前記第３の変速要素は、遊星歯車であることにおいて特徴づけられる変速機。
【請求項３６】
請求項３４または３５に記載の変速機であって、
前記第１の変速要素は、前記アウトプットコーンで回転するピニオン（２０７）により駆動されることにおいて特徴づけられる変速機。
【請求項３７】
請求項３４から３６のうちの１つに記載の変速機であって、
前記第２の変速機は、回転し、前記差動装置（２２０）の前記回転マウント（２１９）に結合されることにおいて特徴づけられる変速機。
【請求項３８】
請求項３４から３７のうちの１つに記載の変速機であって、
前記変速要素の２つにおける好ましくは前記第１および前記第２の変速要素は、互いに固定されることができることにおいて特徴づけられる変速機。
【請求項３９】
請求項３３から３９［訳注］＊５のうちの１つに記載の変速機であって、
前記クラッチ（２２９）、傾斜ブレーキ（２２７、２２８）、および／または、同期（２３０）は、固定のために使用されることにおいて特徴づけられる変速機。
【請求項４０】
先行する請求項の１つに記載の変速機であって、
加重ギア（３０８）を経由してインプットおよび／またはアウトプット要素（３０９、３１０）で切替えられる２つの無段部分変速（３０６、３０７）は、提供されることにおいて特徴づけられる変速機。
【請求項４１】
請求項４０に記載の変速機であって、
前記２つの無段部分変速（３０６、３０７）は、前記加重ギア（３０８）から離れて面する側部上に共有の変速要素（３０１）を有することにおいて特徴づけられる変速機。
【請求項４２】
請求項４０または４１に記載の変速機であって、
各々がインプットシャフト軸（３４９）およびアウトプットシャフト軸（３４８、３５０）有する前記２つの無段部分変速（３０６、３０７）は、部分変速面において本質的にそれに対して並列に配置され、前記部分変速面は、並列に配置されることにおいて特徴づけられる変速機。
【請求項４３】
請求項４２に記載の変速機であって、
前記２つの部分変速面は、同一であることにおいて特徴づけられる変速機。
【請求項４４】
請求項４０から４３のうちの１つに記載の変速機であって、
前記２つの部分変速機は、共有のインプットシャフト（３０１、３４９）、または、共有のアウトプットシャフト（３０９）を有することにおいて特徴づけられる変速機。
【請求項４５】
請求項４０から４４のうちの１つに記載の変速機であって、
さらに調整可能な部分変速機（３２１、３３９、３４０、３４１）、特に切替ギアおよび／または後退用ギアは、少なくとも１つ前記無段部分変速（３０６、３０７）と前記加重ギア（３０８）との間で提供されることにおいて特徴づけられる変速機。
【請求項４６】
請求項４０から４５のうちの１つに記載の変速機であって、
前記無段変速機（３０６、３０７）の少なくとも１つは、回避されることができる（３２１、３３９）ことにおいて特徴づけられる変速機。
【請求項４７】
請求項４０から４６のうちの１つに記載の変速機であって、
前記加重ギア（３０８）は、少なくとも１つの固定可能な変速要素（３１２、３２０）を有することにおいて特徴づけられる変速機。
【発明の詳細な説明】
【技術分野】
【０００１】
本発明は、摩擦でトルクを伝達することができる少なくとも２つの回転変速要素を有する回転変速機に関する。特に、本発明は、それぞれが２つの回転変速要素を連結する回転結合要素のため、少なくとも１つの動作表面を有する２つの回転変速要素を具備する変速機に関する。２つの回転変速要素の動作表面のうちの少なくとも１つは、この場合、異なる稼動半径を有する結合要素のための少なくとも２つの動作経路を好ましくは有するので、このように、連続的なおよび／またはほとんど無段変速が実行されることができる。
例えば、このタイプの配置は、コーン形の摩擦リング変速に関するＥＰ０  ８７８  ６４１  Ａ１から公知である。そこにおいて、対向するコーン形の角度を有する２つのコーンが取り付けられるので、それらの間に恒常的な距離が残るように回転することができ、かつ、リングは結合要素としてコーンのうちの１つを囲んで回転する。しかしながら、このタイプの配置が比較的大きな摩耗、および／または、不十分な変速パフォーマンスのみ、および／または、特に、より高い負荷で変速機の破壊に至ることが示された。
したがって、本発明の目的は、摩擦でトルクを伝達することができ、よりよい変速挙動、および／または、より長い耐用年数を有する少なくとも２つの回転変速要素を具備する回転変速機を提供することである。
【０００２】
この目的を達成するために、本発明は摩擦でトルクを伝達することができる少なくとも２つの回転変速要素を有する回転変速機を提案する。そこにおいて、少なくとも動作の間、隙間は変速要素の間で提供される。
このタイプの遠隔操作可能な動作を通じて、このタイプの変速機は、極めて低い摩耗によって組み込まれ、適切な相互作用メカニズムは、対応する変速要素と力および／またはトルク変速機のための結合要素との間で提供されている。好ましくは、圧力にもかかわらず隙間において残存したままで、必要な力および／またはトルクを伝達する流体および／または液体を経た結合は提供される。しかしながら、例えば静電または磁性の配置のような他の相互作用メカニズムもまた提供されてもよい。
【０００３】
本発明は、隙間および／または液体が少なくとも動作の間、コーンと摩擦リングとの間に置かれたコーン形の摩擦リング変速機のために特に適切である。このように、他に何もしなくともリングはまた、所望の速度伝達比のために配置されることができる。本発明は、しかしながら、変速要素が互いに摩擦で相互に作用する他の無段変速機にもまた、適切である。現在の文脈において、変速要素間の「摩擦の相互関係」という用語は、一方の変速要素からこの目的のためにこれらの変速要素の間に存在している明確な接続なしで他方の変速要素までトルクが伝達される相互関係を表現する。一般的に、比較的高制限のトルクより少なくとも上に、特定のスリップは摩擦の相互関係において存在する。このタイプのスリップは、非破壊的にしばしば発生し、そして、対応する変速機は、概してこれらの制限トルク以下で機能する。
【０００４】
代替的におよび／または累積的に、回転変速要素、および／または、摩擦リングのような結合要素の少なくとも１つが湿らされる液体として、メチル・シロキサン、ジメチル・ジフェニル・シロキサンおよび／またはフェニル基を有するメチル・フェニル・シロキサンからなる液体、特にシリコーンオイルは、上記の隙間に使用されることができる。特に、例えばフェニル・アルキル基またはフルオロアルキル基を含むジメチル・ポリシロキサンも使用されることができる。この場合、ジメチル・シロキシ基は、特にその中において個別にジフェニル・シロキシ基と、または、シロキサン・ブロックとして代替されることができる。
このタイプの液体は、用語「シリコーンオイル」として一般に公知であり、また、具体的にではないが、概して無段変速機の回転変速要素を湿らすための液体として、ＥＰ０  ８７８  ６４１  Ａ１において開示されている。シリコーンオイルは、実地試験において、特に結合ローラまたは摩擦リングのような圧延結合要素での相互作用において、不都合であることが示された比較的軽微な潤滑性能を有するので、周知のシリコーンオイルでの動作の間、液体フィルムが壊れることが仮定される。しかしながら、シリコーンオイルは、他の液体と比較してその特性の高温担持能力において特に優れている。
【０００５】
メチル・シロキサン、ジメチル・ジフェニル・シロキサンおよび／またはフェニル基を有するメチル・フェニル・シロキサンから成る提案された液体は、特に、例えばジフェニル・シロキサン・ブロックがポリメチル・シロキサンに組み込まれる場合、おそらくフィルムの破損を防ぐ他の液体と比較して高い圧縮性において優れている。したがってオイルは、圧延結合要素を有する変速機のために温度/粘性および／または温度/圧縮性挙動において、このタイプのシステムのために見つけられた都合がよい挙動を有して提供され、その粘性および／または圧縮性は、温度に依存する粘性変化度および／または圧縮性変化度が変わるいかなるタイプもの液体であって、鉱油の粘性変化度および／または圧縮性変化度とジメチル・シロキサンの粘性変化度および／または圧縮性変化度との間にある液体は、非常に一般的に変速機に都合よく使用される。これらの特性を使用して、液体および／またはオイルは対応する変速機を十分になめらかにするので、高過ぎる運転温度に達しない。加えて、潤滑剤は、結合要素と対応する変速要素との間の十分な結合が妨げられるほど強くない。その上に、記載された圧縮性ウインドウは、加圧下でさえ液体の均一的な分配を妨げることなく部品を囲んでいる液体フィルムの十分な安定性を生じる。
【０００６】
特に、ポリジメチル・シロキサン、ポリジメチル・ジフェニル・シロキサン、および／またはポリメチル・フェニル基を有するフェニル・シロキサン、および／または、アルキル置換γ-トリフルオロプロピル置換ポリジメチル・シロキサンを有する液体が使用されることができる。
「シリコーン」はまた、例えば１０から２５％のフェニル基またはγ-トリフルオロプロピル基または他のアルキル基も、使用されるポリジメチル・シロキサンの置換基として含まれるような有機置換基において使用されることができる。
加えて、対応する液体が温度に関して安定し、かつ、可能な限り、鉱油よりその特性に関する変更が少ない場合、累積的におよび／または代替的に特に都合がよい。このように、対応する流体はより変質しないので、変速機の長い耐用年数は保証されることができる。さらに、例えば極めて高い負荷または極めて高速、または、冬における始動手順の間のような異なる作動状態においてさえ、流体の物理的な特性はできるだけ一定に保たれる。
ポリジメチル・シロキサンのフェニル・シロキサン・ユニットに関して、および／または、一般にシロキサンにおけるフェニル・シロキサン・ユニットに関して、それらは、所望の結果を達成するため、対とブロックとの両方において使用されることができる。加えて、上記した圧縮性は、結合要素と回転変速要素との間に残り、対応する液体で満たされ、かつ、高圧においてさえ液体により安定して架橋される隙間と協動して特に都合がよい。この場合、液体は力伝達のために使用されるので、本願明細書において起こっている剪断力は、積極的にではないが結合要素と対応する変速要素とを結合することができる。その上に、高い圧縮性は、小さい隙間のみが十分に高い剪断力および壊れない液体フィルムを実行し、また、隙間は、高圧およびこの高圧力に対する液体の高抵抗力のみにより維持されることが可能であるこの変速機が高いおよび／またはより高いトルクにおいてさえ可能であることを保証する。
【０００７】
温度安定性、圧縮性および／または粘性に関する隙間および／または液体に関する上述の考慮すべき問題は、個別にまたは共に連続変速のため、特に互いの上で回転する２つの変速要素を有する変速機のため、本発明による変速機の残りの特徴のそれぞれにさえ都合よい可能性があることは明らかである。
特に摩擦ロック装置、または油圧、流体静力学的、流体力学的、磁性または別の遠隔操作可能な相互作用、および／または明確な接続のない他の相互作用を経てさえ本質的に連結される変速要素のため、結合要素の変速要素の２つの動作経路からなる変速機において、これらの動作経路は、相互作用、例えば、適切な方法における表面圧または同様の何かを実行および／または適応させることを可能にするため、異なる表面を備える場合、都合がよい可能性がある。この場合、例えば、異なる幅および／または異なる表面組織および／または表面処理の溝または突起は、回転変速要素の少なくとも１つに沿って提供される。このように例えば、表面圧は変速要素の異なる半径に適応する。このタイプの表面のバリエーションが変速要素上の動作経路において都合がよいことは、本発明による変速機の残りの特徴のそれぞれにさえ明らかである。
【０００８】
動作経路から独立している相互作用の実施例のために、結合要素の表面はまた、仕上げがなめらかでなければならない。特に、表面は油圧相互作用の場合には適切な方法の剪断および圧縮力に影響するために溝または類似した何かを有することができる。加えて、結合要素はまた、接触している異なる変速要素のための異なる表面を有することができる。
よい剪断力の分配を保証するため、特に、液体フィルムが破損せずに結合要素の動作表面および／または対応する変速要素の対応する動作表面を湿らす液体との相互作用において、結合要素は、直線から逸脱する横断面を有する少なくとも１つの動作表面を有することができ、好ましくは凸面および／または冠部を持つ横断面を有する。十分な剪断力を伝達する連続液体フィルムは、したがって高圧においてでさえ保証されることができる。この場合、横断面の選択は、好ましくは液体に合わせて調整される。累積的におよび／または代替的に、結合要素の横断面は、特に下記のように、保持装置により片側のみ保持される直線から最適に逸脱することができる。なぜなら、このタイプの片側の保持装置は、結合要素に比較的大きい自由度を残すにもかかわらず結合要素と安定する方法で相互に作用することができ、直線から逸脱している動作表面により比較的不安定であるので、特に動作経路が変更する場合には、全体的なシステムはまた、低い力消費によって作動されることができるからである。
【０００９】
結合要素の表面デザインおよび／またはこのタイプの回転変速要素が、変速要素と結合要素との間に相互作用させるため、本発明による変速装置の残りの特徴に個別に、また都合よく使用されることができることは明らかである。
無段部分変速機を有する変速機において、特別な運転状況、例えば低速運転の間における後退用ギア、および／または、恒常的な安定した負荷がかかる間における課題の減少を保証するため、並列に結合される２つ変速経路で優れている無段部分変速機を有する変速機が提案され、無段部分変速機は、２つの変速経路の第１の経路において提供されている。
このタイプの配置は、第１の変速経路が無段変速機の利点を提供することができる一方で、特別な運転、および／または、負荷の状況が第２の変速経路により実行されることを可能にする。現在の文脈において、「２つの変速経路の並列回路」という用語は、共有されたインプット側の部分的な変速機間において、２つの変速経路が、例えば駆動軸のモータ、クラッチディスク、または類似した何か、および、共有されたアウトプット側の部分的な変速機、また、例えば自動車の主な差動装置のような（原文にてword missing）を有することを示す。共有されたインプット側の部分的な変速機と共有されたアウトプット側の部分的な変速機との間の、２つの変速経路は、このように異なる条件を満たすために、同時に交互に付加的におよび／または差別的に作動される。このタイプの配置が本発明の残りの特徴のそれぞれにさえ都合がよいことは、明らかである。
【００１０】
したがって、後退用ギア、第１ギアおよび／またはオーバードライブが、２つの変速経路の第２の経路に提供される場合、都合がよい可能性がある。これらの状況のため、無段変速機は、制限された方法かつ比較的大きい出費によってのみ使用可能であり、および／または、特にオーバードライブ、すなわち、高速および低トルクにおいて、大きい損失を受けさせられる。
少なくとも１つのフリーホイールが２つの変速経路の間で提供される場合、これらの変速経路は、複合の切替の出費なしでおよび／または複合の切替および調整技術なしで共に導かれることができる。
【００１１】
累積的におよび／または代替的に、連続的に可変の部分的な変速装置からなる変速機において、後者は、差動ギア部分または遊星ギア部分のような２つの電力分割器の間に位置することができ、連続的に可変の部分的な変速機の少なくとも１つのインプットは、インプット側の電力分割器の少なくとも１つのアウトプットに機械的に結合され、連続的に可変の部分的な変速機の少なくとも１つのアウトプットは、アウトプット側の電力分割器の少なくとも１つのインプットに機械的に結合されている。このタイプの配置を通じて、トルク変速機は、実行されることができるので、それは拡大されることができ、および／または、無段部分変速の調整範囲が拡張されることができる。このことは、２つの電力分割器が自然に損失に至るので、現行の知識に従って効率を犠牲にして起こることである。しかしながら、このタイプの配置は、連続変速機のための用途の幅の有意な増加を許容する。さらに、無段部分変速で処理されなければならないトルクはしたがって、損失が適切な実施で制限内に保たれるように減少することができる。なぜなら、無段変速機の低いトルクは、特にそれがコーン形の摩擦リング変速機である場合、より低い損失に導き、そこで電力分割器における損失を対応して減少することができるからである。
累積的におよび／または代替的に、少なくとも１つの前進用ギアと少なくとも１つの後退用ギアとを備え、独立して連続変速機が存在する変速機において、この前進用ギアとこの後退用ギアとを実行する差動ギアが提供されることができ、差動ギア部分の少なくとも１つのアセンブリは、ハウジング、および／または、差動ギア部分の他のアセンブリで交互に固定されることが可能である。このように、差動ギアの差動アセンブリがインプットとして使用されるように、前進用ギアおよび後退用ギアを有する変速機は、非常にコンパクトに実現されることができる。差動装置の中央アセンブリがそれから第２の差動アセンブリに結合される場合、１つの回転方向が実行される。対照的に、第２の差動アセンブリおよび／または差動装置の中央アセンブリがハウジングに結合され、このように固定された場合、固定されていない他のアセンブリは、上述したギア反転が実行されるその回転方向を変える。このような方法で、前進用ギアおよび後退用ギアを有する変速機は、特にコンパクトに実現されることができる。
【００１２】
加えて、累積的におよび／または代替的に、切替ギア部分を経た変速経路に交互に切替えられることができる少なくとも２つの変速段階を備える変速機が提案され、２つの変速段階の第１の段階は、無段部分変速を有する。このタイプの配置は、最初はシステムに反するように見える。なぜなら、連続変速はいかなるタイプもの切替を省くことが可能であるために備えられるからである。しかしながら、このタイプの配置は、その利点が実際に優れている場合にのみ、連続変速を許容する。例えば、比較的高いトルクは運転開始の間しばしば発生する、そして有意に連続変速を供給し、および／または、連続変速機の極端に大きい設計を必要とする。したがって、例えば別々に第１ギアを実行し、運転開始の後、無段部分変速を結合するだけであることは都合がよい。この場合、無段部分変速は、２つの変速段階の一方から他方への切替手順の前に、第２の変速段階の速度は、第１の変速段階の速度へと無段変速機によって適応するような方法で特に必要な大きさにされるので、第１の変速段階から第２の変速段階まで、および／または、第２の変速段階から第１の変速段階までの移行は、本質的に連続的に発生することができる。このように、連続無段変速機の利点は、運転開始の間、例えば起こることができるので、不利な点を受け入れる必要なく最適に利用されることができる。
これはまた、本質的に一定のアウトプットを有する、および／または、本質的に一定のトルクを有する状況において、速度変更はモータの速度変更により実行されることができるので、無段部分変速は本質的に不可欠ではないということはあてはまる。このタイプの作動状況において、無段部分変速は、結合された変速段階によって避けられる典型的に高い損失−例えばスリップにより生じる−を有する。切替はまたこの場合、運転の時点で実行されることが可能である。ここで、このタイプの段階変更は、自動車乗員に目立たないかまたはわずかに目立つだけである。特に、無段変速機はこの目的のために適切な作動状況に導かれることができる。例えば、フリーホイール経由でのこのタイプの変速段階の係合および／または分離も考えられる。
【００１３】
加えて、無段部分変速からなる変速段階に加えて係合されることができる変速段階は、例えば前進用ギアと後退用ギアとの間、および、運転開始ギアを切り替えるために使用される差動ギア要素を備えることができる。特にこのタイプの実施例において、前進と後退用ギアとの間で切り替えをするために必要である差動ギア要素のアセンブリが摩擦クラッチを経て固定する場合、可能な限りの最も細かくかつ均一である切替が実行されることができるということは都合がよい。
切替ギア部分を経て変速経路に交互に切替えられる２つの変速段階を有する変速機において、２つの変速段階の第１の段階は、無段部分変速を備え、切替ギア部分は、無段部分変速をトリロクコンバータ、または、モータアウトプットシャフトに直接結合した他のアセンブリのポンプホイールに連結することができ、そして、第２の変速段階は、トリロクコンバータのタービンホイール、または、他の接続可能なモータアウトプットアセンブリに連結することができる。このように、特に通常の動作状態においてモータアウトプットは、無段部分変速に直接伝導されることができる。その一方で、特に運転開始手順の間、高トルクが第２の変速段階に伝達されることができるので、それは無段部分変速に関連して外される。これは特に、トルク・オーバーロードが自然に発生し、別途有意に無段部分変速を供給するトリロクコンバータのタービンホイールとの相互作用において特にあてはまる。
【００１４】
特に電動モータと結合して、同軸的に配置された駆動およびアウトプットを有する無段部分変速は、このタイプの配置において、ハウジングに作用しているトルクが特にコンパクトな方法で最小化されることができるので、本発明による変速機の残りの特徴から独立してさえも都合がよい。好ましくは、差動ギア部分は、連続変速のアウトプットにより駆動される同軸のアウトプットにおいて提供される。連続変速機のアウトプットは特に自動車で、いずれにしろ提供されなければならない差動ギアのさらなる中間段階なしで作用するので、この配置は特にコンパクトである。さらに、歯車または他の変速機は、同軸駆動およびアウトプットを提供するためにいずれにしろ一般的に必要とされるので、差動ギア部分のために追加部品が必要にならない。上記した配置は、特に電動モータ駆動と関連して適切である。その配置は、電動モータの速度が結局のところほとんど任意に調整可能であるので、最初は無段変速機に電動モータを結合するシステムに反するように見える。しかしながら、無段変速機は、電機モータに好ましいトルク／電流強度比率を有する速度での作動を許容する。このように、対応する動力伝達系路の総合効率は上昇することができ、および／または、特に低速度での電流の必要量は減少させることができる。
本発明の変速機であるが異なる無段変速機もまた、例えば運転開始クラッチ、コンバータ、摩擦ディスク、油圧クラッチおよび／または同期のような解放点において駆動またはアウトプット側で機械的に結合されることができる。本質的に無段変速機に反するこの配置は、連続変速および／または駆動が運転開始手順で手入れされるので耐用年数が延長されるという利点を有する。アウトプット側に提供された始動クラッチおよび／または解放点は、このタイプの配置において、停止調整は動いているモータで可能であるので、特に都合がよい。加えて、始動クラッチおよび／または駆動側上の解放点は、必要な場合、他の変速要素に接続を与える。
【００１５】
２つの部分変速機のアウトプットは、続く変速経路の駆動において好ましくは係合し、部分変速機はこのように再び好ましくは共に導かれる。続く変速経路のこの駆動が、主な差動装置、すなわち、被駆動自動車軸の２つのホイールを結合し、かつ、駆動する差動装置である場合、変速機は特にコンパクトに作られる。このタイプのコンパクトな構造は、コストが減少することができるようなより少ない部品数に反映される。加えて、このタイプのコンパクトな構造は、自動車のための総コストがさらに減少することができるようなより小さい全体量に結びつく。
具体的な実施次第で、２つの部分変速機のうちの１つが後退用ギアを備え、場合により第１速ギアを有し、一方で第２の部分変速機が無段変速機、特にコーン形の摩擦リング変速機を有する場合、都合がよい可能性がある。特にこれらの部分変速機の第１の変速機が独立した第１速ギアをなしにする場合、これは、上述の利点を有する特にコンパクトな構造に結びつく。
【００１６】
２つの部分変速機は、好ましくは各々係合され、および／または、分離されることができる。これは、特にクラッチを経て特定な部分変速経路を中断することによって実行されることができる。まず得られた近似の結果において、この中断がどの点で実行されるかは、この用途においては役に立たない；駆動側、および、アウトプット側の両方において、この解放以降に配置された変速要素は、それ以上無負荷で進行することができないので、２つの部分変速経路は、２つのクラッチを各々備える必要がない。しかしながら、フリーホイールの変速要素を原因として生じる損失を避けるため、多数のクラッチが部分変速経路において提供されることができる。しかし後者は、代わりにコストに関して効果を有する部品数および必要な取付けスペースを増加させる。
並列の部分変速機を有するこのタイプの連続変速機の構造が、本発明の残りの特徴に独立してさえ都合がよいことは明らかである。これは、連続変速機としてコーン形の摩擦リング変速機と関連して特にあてはまる。なぜなら、このような方法でコーン形の摩擦リング変速機によって生じる回転方向反転の利点は、コンパクトに他の部分変速機によって、非常に効果的に実行することができるからである。
【００１７】
コンパクトな構造に関して、無段変速機、特にコーン形の摩擦リング変速機において、無段変速機を備えている変速経路を係合しておよび／または分離するために使用され、無段変速機要素の内部の１つ、例えば、特定の無段変速機のコーン内部に備えられるクラッチ要素が、さらに提案される。無段変速機において、比較的大きい相互作用表面が本質的な変速要素に提供されなければならないので、対応する変動性が保証されることができる。これらの大きい相互作用表面を備える変速要素内のこのタイプのクラッチ要素の配置を通じて、これらの変速要素内部の他の未使用の全体的なスペースを使用することができるので、本質的な全体のスペースを節約することができる。このタイプのクラッチ要素の配置が無段変速機の本発明の残りの特徴から独立してさえ対応する利点を示すことは、明らかである。
加えて、２つの変速要素間に十分な相互作用力を提供するため、圧力装置を経て互いにそれらを支えることは、異なる軸において回転している２つの変速要素を有する変速機において、しばしば必要である。圧力が、トルク伝達機能として場合により選ばれるということはまた、とりわけそれらが摩擦で相互作用する場合、無段変速機に特にあてはまる。
このタイプの配置において、閉鎖によって第３の変速要素に２つの変速要素を開く、および／または、係合することにより、第３の変速要素からこれらの２つの変速要素を分離するクラッチ部を交互に提供するので、特定の変速経路が変速機全体に交互に係合できることは、本発明の残りの特徴から独立して都合がよい可能性がある。このタイプの配置において、クラッチ要素を閉じるのに必要な力は、好ましくは圧力装置によって適用される。したがって、クラッチ要素が圧力の経路に置かれる場合、都合がよい。
【００１８】
このタイプの配置において、適切な点で圧力を補うためのクラッチの開放は十分なので、圧力は対応するクラッチをもはや供給しない。このような方法で対応するクラッチは開き、そして、２つの変速要素はしたがって分離される。特に圧力装置がトルクの機能として作動する場合、開いたクラッチを原因としてトルクが伝達されないので、直接圧力減少に結びつく。このように、開くために適用される力は、本質的な程度を直接減少させる。加えて、圧力の縮小もまた、おそらくまだフリーホイールで走っている変速要素によって生じるかもしれない損失の縮小を生じさせる。クラッチを閉じるためには、対応する反対の力を単に減少させるだけであるので、圧力装置は再び使える状態にある。したがって、クラッチを閉じるのに追加のアセンブリは必要でない。
さらに累積的におよび／または代替的に、残りの変速機と直列にアウトプットの後ろで提供される後退用ギアを有する無段変速機、特に、コーン形の摩擦リング変速機が提案される。このタイプの配置は、変速機が一定の回転方向を使用して作動され、起動に関しておよび／または摩擦リングの調整に関して無段変速機のために都合がよい可能性のある利点を有する。加えてこの配置も、後退用ギアの連続的に変化を許容する。
【００１９】
後退用ギアの配置に関して、「直列に」、「前に」、および／または「後に」という用語は、連続変速機を備える動力伝達系路の力の流動に関する。したがって、本発明では、後退用ギアはモータから離れて動力伝達系路に面する無段変速機の側部において直列に提供される。
後退用ギアは、遊星ギアの少なくとも１つの変速要素を取り付け、かつ、ハウジングおよび／または回転変速要素を交互に固定する少なくとも１つの回転ギア・マウントを有する遊星ギアを好ましくは含む。このタイプの配置によると、後退用ギアは、― 必要に応じて ―対応して回転変速要素を交互に固定することによって、 駆動の回転の間でさえ、すなわち、コーン形の摩擦リング駆動および／または無段変速機の回転の間でさえ切替えられるように提供される。このタイプの固定は、適切なクラッチおよび／または同期によって適切に慎重に実行されることが可能である。このタイプの転換能力は、回転用状況において変化するその速度伝達比を有するのみでよいコーン形の摩擦リング変速機の条件に合わせて特に調整される。
【００２０】
後退用ギアは、遊星歯車を有する遊星ギア、太陽歯車、および、第１の変速要素が無段変速機のアウトプットに機械的に結合され、かつ、第２の変速機要素が無段変速機および後退用ギアでできている全体の配置のアウトプットに機械的に結合される外付けホイールを特に備えることができる。一方で、第３の変速要素は、ハウジングに関連する自由度に関して少なくとも固定されることができる。
遊星ギアは、変速要素のうちの１つ−外付けホイール、太陽歯車、遊星歯車、（後者はそれらの内在する回転能力を都合よく維持している）−が固定される場合、有利な性質を有する。そして、特定の他の変速要素は、さらに回転することができ、そこから生じる速度伝達比に従って互いに相互に作用する。特に、変速要素の対応する固定、とりわけ自由度に関する固定によって、残りの２つの変速要素間の相対速度の大幅な変更が生じるので、相対速度のこの変更は、後退用ギアを制御するために使用されることができる。
遊星歯車が第３の変速要素である場合、後者は特に保証される。遊星歯車が遊星ギアにおける対応する太陽歯車の周りで、それらの回転自由度において固定される場合、方向における逆回りは、外付けホイールと太陽歯車との間で直ちに発生して、対応する後退用ギアが実行される。そして、特定の前進用ギアが対応して動いている遊星歯車によって実行される場合、変速比は、−必要な場合−遊星ギアを通じて適切な方法で選ばれることが可能である。
【００２１】
無段変速機、および／または、特にコーン形の摩擦リング変速機および後退用ギアで作成される全体の配置は、第１の変速要素がコーン形の摩擦リング変速機のアウトプットコーンと共にピニオン回転により駆動される場合、特にコンパクトに造られる。このタイプの配置は、コーン形の摩擦リング変速機と後退用ギアとの間で即座かつ直接的な力、および／または、トルクの流動を保証するので、全体の配置は、極めてコンパクトに造ることができる。したがって現代の自動車に対して極めてコスト対効果が高い。
後者の条件に関して、第２の変速要素が回転し、差動装置の回転マウントに結合する場合、累積的におよび／または代替的に有利である可能性がある。特に自動車の使用と関連して、主な差動装置はしたがって都合よく使用されことができ、その結果、後退用ギアが直にかつ直接差動装置に組み込まれ、後退用ギアの駆動側実施例とは独立して、特にコーン形の摩擦リング変速機と関連してコンパクトな構造が生じる。
特に通常運転に関して、第１および第２の変速要素が互いに固定することができる場合、有利である。後退用ギアに関する切替処理の具体的な実施例に従うと、このタイプの調整はまた、遊星ギアの所望の作動状況を固定するために他の方法が都合よく使用されることができる。第１および第２の変速要素は互いを固定することができるので、遊星ギアを経た直接の力の流動が保証される、その結果、この作動状況において、遊星ギアは本質的に損失なしで作動する、そして、特に前進のギアに関して、全体の配置は極めて高い効率で作動する。第３の変速機および２つの第１の変速要素の交互の固定は、好ましくは適切に連結されるので、遊星ギアが各々の状況において確実に回転する。この点に関しては、第１および第２の変速要素が外付けホイールおよび遊星ギアの太陽歯車によってそれぞれ形成され、第３の変速機要素が遊星歯車により形成される場合、変速要素間の必要な相互作用は、このように、非常に単純にそしてコンパクトに実現されることができるので特に有利である。このことは、第２の変速要素が差動装置の回転マウントに直接結合、および／または、それとともに一体の部分で実行され、および／または、第１の変速要素がアウトプットコーンで動いているピニオンにより直接駆動される場合、特にあてはまる。このタイプの実施例において、全体の配置、特に、補完的な自動車クラスにおける高部分数および変化のため、その全てが同方向の駆動によって実行される典型的な自動車駆動における配置は、極めてコンパクトになり、したがって、極めて小さい車両において使用可能でさえあるコスト効率が高い変速機になる。
【００２２】
摩擦ロックまたは明確な接続のような、非常に異なる固定のタイプは、自由度に関するハウジングに関連して例えば、回転変速機マウント、および／または、遊星歯車、または、第３の変速要素を固定するために都合よく適用されることができる。滑らかな移行を許容し、かつ、 ― 具体的な実施例に従うと ― 回転の間、後退用ギアのスイッチを入れることさえも許容する摩擦ロック接続が特に都合がよいことが示された。しかしながら、後者が、比較的高い力および摩擦損失を生じるため、すべての用途のために有利であるというわけではないので、モータとコーン形の摩擦リング変速機との間の始動クラッチは、このタイプの場合特に都合がよい可能性がある。具体的な用途に従うと、周知の変速機と関連して概して典型的であるので、クラッチ、傾斜ブレーキ、同期および類似した配置は固定のために適切である可能性がある。
このタイプの後退用ギアの配置がまた、変速機に対応する上記の利点を提供するため、本発明の特徴に累積的におよび／または代替的に有利であることは、明らかである。コンパクトさの程度、および、その理由からの使用されるアセンブリの数、および／または、そこから生じているコスト削減、および／または、モータの回転方向は、この場合最前面において際立っている。
【００２３】
低い損失で確実により高いトルクを伝達することができる無段変速機を提供するため、このタイプの変速機が上述の特徴に対し、累積的におよび／または代替的に、平行に変速経路に置かれる少なくとも２つの無段部分変速を有して提供されるように提案される。この２つの無段部分変速は、インプットおよび／またはアウトプット要素において加重ギアを経て切替えられる。
加重ギア、また重ね合せギアと呼ばれているギアの使用は、関連技術で必要であった、部分変速機の変速要素のうちの１つのための同一の速度および／または正確に固定された速度を必要としないという利点を有する。むしろ両方の部分変速機は、それらの自身の速度に依存する貢献を加重ギアの結果として生じる速度に供給する。本発明の配置は、したがって部分変速機の起動、さらに別個の調整の両方を許容し、ゆえに、２つの無段部分変速への無段変速機の分解から生じる、例えば２つの部分変速機上へトルクを分けるような利点を強制速度から生じる摩擦損失または、このために増加する調整コストのような不利な点を受け入れずに使用する。
非対称であり、そのため本質的に自由である加重ギアを経た２つの部分変速機の切替はしたがって、特に効率に関して、そして、コントローラ上の条件に関して、遊星ギアの遊星歯車の連結により強制されているように、対称の場合には可能でないような変速機の概念および／または使用法に関する意外な方法において利点を生じる。
【００２４】
本発明の加重ギアの典型的見本は、例えば、３つのギア部品（遊星歯車、太陽歯車、外付けホイール）のうちの２つは２つの部分変速機に連結され、第３ギア部品はアウトプットおよび／または駆動として使用され、遊星歯車は、ギア部品、および／または、２つの部分変速機が差動装置の差動要素のうちの１つに各々結合された差動装置として共に使用されている遊星ギアである。
２つの無段部分変速は、加重ギアから離れて面する側部上の共有された変速要素を有することができる。例えば、これは共有されたインプットシャフトまたは共有されたアウトプット軸であってもよい。これはまた、特に両方の部分変速機によって共に使用される２つの無段変速機の直接の変速要素であってもよい。コーン形の摩擦リング変速機のこの用途のために、例えば、コーンのうちの１つが共有された変速要素として提案される。このタイプの実施例を通じて、対応する変速機の要素の総数が２倍の使用により最小化されることができるので、このタイプの変速機は、比較的コンパクトに、かつ、コスト的に効率よく造られる。
【００２５】
現在の文脈において、「加重ギアから離れて面する側部」という用語は、変速機を通じた力の流動により定義される変速経路における方向を表現し、幾何学的および／または空間関係と絶対的に一致する必要はない。
様々な無段変速機は、インプットおよびアウトプットシャフト、入出力コーンまたは類似した回転対称ボティのような必須のアセンブリが配置され、このように変速面を定義する主な変速面を有する。２つの部分変速機の２つの主な変速面が互いに並列して配置される場合、本発明の変速機は特にコンパクトに造られる。２つの部分変速面が同一の場合、特に平坦な構造が達成される。このように実施される本発明の変速機は、極めて平坦に造られて、さらに比較的大きいトルクにさえ対処することができる。とりわけ、このタイプの変速機は、例えば荷重表面の下での取付けのためその全体のスペースに関して特によく設計され、さらに、何よりも現代のディーゼルエンジンの高トルクに対処することができるので、特にディーゼルエンジンを有する小さいトラックに適切である。
【００２６】
加えて、切替ギアおよび／または後退用ギアのようなさらなる調整可能な部分変速は、無段部分変速と加重ギアとの少なくとも１つの間で提供されることができる。このタイプの配置を通じて、特に連続前方及び後方の駆動の可能性のある非常に幅広い駆動挙動を有する変速機が実行されることができる。特に、アウトプットがトルクなしで止まるような方法で、駆動動作においてでさえこのタイプの変速機をフィードバックすることが可能である。
たとえ本発明が関連技術による変速機に関して全体の変速効率をかなり増加させても、無段変速機は、始動手順後またはハイウェイやフリーウエイ上におけるような、特に比較的一定の運転条件のもとで比較的高い損失を見せる。このタイプの損失を避けるため、特に無段変速機が不可欠ではない運転条件の下で、無段変速機の少なくとも１つが回避されることができる場合は有利である。このように、例えば上述の運転条件の下において、その比較的高い損失を有する無段部分変速は回避されるので、これらの運転条件の下における効率が増加する。このタイプの２つの無段変速機の使用が本発明の残りの特徴から独立してさえも有利でさえあることは、明らかである。
【００２７】
本発明のさらなる利点、目的および性質は、添付の図面に続く記載に基づいて説明される。そこにおいて、典型的な変速機は例示される。
図１から３において図示された変速機は、被同期切替ギア３を経て動力伝達系路に交互に切替えられることができる本質的に２つの変速段階１、２からなる。
この場合、第１の変速段階１は、コーン５を囲む一方で摩擦リング７が動くコーン４と５との間に、隙間６が残るように対向して位置する２つのコーン４、５を有するコーン形の摩擦リング変速機を有する。その結果、このコーン形の摩擦リング変速機がトルクを伝達し、コーン４は、変圧を適用する一方で支柱ベアリング９と１０との間で２つのコーン４および５を支える圧力装置８を含む。
特に図１および４から明らかであるように、コーン４は、動作表面１２に加えて、その間で圧力装置８が作動する支柱要素１１を有し、圧力装置８は、動作表面１２に関して軸方向に締結要素１１を移動させることが可能であるので、支柱要素１１は、支柱ベアリング９に支持され、そしてさらに、摩擦リング７に対して動作表面１２を押圧する。この圧力は、第２のコーン４および補完的な支柱ベアリング１０によって対処される。
詳細には、圧力装置８は２つの円板ばね１３、１４を含み、同様に、２つの圧力要素１５、１６、および、圧力要素の間に位置する２つのローラ要素１７を含む。図２からすぐに明らかであるように、円板ばね１３、１４および圧力要素１５、１６は、圧力に関して連続に配置されるので、より正確で再生可能な圧力の設定に導く、関連技術におけるよりもかなり大きい移動作用がトルク変更の場合には圧力要素１５に残される。加えて円板ばね１３は、動作表面１２および／または圧力要素１５を有するアセンブリの対応する突起に係合する放射型凹部１８、１９を有する。このように、円板ばね１３は、動作表面１２および圧力要素１５を有するアセンブリ間にトルクを伝達し、それを通じて圧力要素１５は、動作表面１５［訳注］＊２を備えたアセンブリに関して、トルク装着摺動運動から外される。このことは、同様に結果として生じるトルク依存の圧力のより高い再現性につながる。回転体１７は、この例示的な実施例において可変の深さを有する特定の圧力要素１５、１６の経路で動作する。このように、圧力要素間のトルク依存距離が実行され、圧力要素１５、１６がトルクの発生によって外周周辺で移動する場合、回転体１７は、結果として生じる圧力の高い再現性を保証する。上述の特徴が生じる圧力の再現性を互いに独立して都合よく保証することは、明らかである。
【００２８】
加えて、ボール１７の代わりに、ローラおよび／または圧力要素上に静止して固定された回転体のような他の回転体が使用することができることは、明らかである。さらに、駆動コーン５におけるこのタイプの圧力装置を提供することもまた考えられる。
機械配置の代わりに、しかしながら、別の実施例で、流体力学的または流体静力学的な軸のベアリングのような、トルク依存圧力を実行するために測定されたトルクに基づいて起動する動力付アクチュエータもまた圧力装置に備えることができる。
加えて、圧力要素１５、１６の移動、および／または、動作表面１２および外周周辺に存在する支柱要素１１からなる部品の移動、または例えば、支柱ベアリング９、１０上の軸方向の力のみが発生しているトルクを決定するために使用されることができることは、明らかである。
図１から５における例示的な実施例ではさらに、無段コーン摩擦リング変速機２に関して駆動側にトリロクコンバータとして実行される始動クラッチを含む。このため、コーン形の摩擦リング変速機１からなる変速段階は、切替ギア３、および／または、駆動歯車３５、および被同期歯車３４を経由して直接トリロクコンバータ２０のポンプホイール２１に接続可能であり、始動は、トリロクコンバータのタービンホイール２２を経て、および、差動装置ギア部２３を経て実行されることが可能である。後の差動装置ギア部２３の差動装置側部２４は、第２の差動装置側部２５がこの変速段階のアウトプットから使用され、歯車２６を経由して結合される一方で、タービンホイール２２、および、変速機全体におけるアウトプットピニオン３３からなるメイン・アウトプットシャフト２８の歯車２７にしっかりと結合され、歯車２７もまた、コーン形の摩擦リング部分変速機１のアウトプット２９と係合している。
【００２９】
アウトプットピニオン３３は、例えば自動車の主差動装置と係合することができる。差動装置ギア部２３は、交互にハウジング３２上に、またはアウトプット２５上に差動装置ギア部２３のメインインプットを固定する２つの摩擦クラッチ３０、３１を備える。このように一見して明らかであるように、アウトプットの回転方向は変更されてもよく、それにより他に何もしなくとも前進用および後退用ギアは実行されることができる。クラッチ３０、３１が開いている場合、差動装置およびタービンホイール２２も惰性で走るので、コーン形の摩擦リング変速機が、アウトプットの連結にかかわらず使用されることができる。
この配置は、始動のためにおよび／または後退用ギアにおいて利点を有し、トリロクコンバータ２０の利点が使用されることができる。加えて、前進及び後進ギアは、差動装置２３により極めてコンパクトな方法で実行される。さらに、スイッチ３によって、大きなアウトプット損失、および、通常運転におけるスリップを通じた過剰なトルクの増加を引き起こすトリロクコンバータ２０の不都合は、タービンホイール２２はスイッチ３により短絡され、コーン形の摩擦リング部分変速機１はポンプホイール２１を直接経由して駆動されるので、避けることができる。２つの変速段階１および２のアウトプット側の連結は、コーン形の摩擦リング部分変速機１がその変速比に関して、２つの変速段階１および２もまたインプット側にほとんど同期するように２つの変速段階１と２との間の切替手順の前に設定されるのを許容する。残りの同期は、切替ギア３自体によって実行され、トリロクコンバータ２０はまた、サポートとして作用することが可能である。
【００３０】
図６に示される変速機配置において、２つの回転し、かつ対向する同軸的に配置されたコーン９１、９２もまた、コーン９１、９２のマンテル面の間に残る隙間に沿って移動することができる摩擦リング９３を経て互いに機械的に結合されるので、異なる変速比が実行されることができる。この構成では、駆動コーン９１およびアウトプットコーン９２は、自動車の主差動装置９７とピニオン９６を経由して交替で係合する主アウトプットシャフト９５上へ同期９４を経由してスイッチで切替可能である。この配置において、駆動コーン９１およびアウトプットコーン９２は、同一数の回転方向反転で主アウトプットシャフト軸９５に結合される。その結果、回転方向反転は同期９４によって直ちに保証される。この配置は、前進及び後進ギアの最小数のアセンブリでの実行を、したがって極めてコスト効率が高い方法で許容する。回転方向反転は、この場合、歯車または回転ベルトの係合により、コーン９１、９２のうちの１つのみと同期９４と間で交互に生じることができるので、第１速ギアまたはオーバードライブもまた、必要に応じてこの配置を通じてコスト的に効率よく表されることができる。駆動の回転方向に依存して、ピニオン９１ａおよび／または９２ａおよびホイール９１ｂおよび９２ｂは、ベルト配置を経由して結合、または、直接係合されることができる。加えて、ピニオン９６と主差動装置９７との間で回転方向を逆転させる歯車を備えることは考えられる。
【００３１】
同期は好ましくは休止設定および／または中央位置を備えるので、コーン９１、９２は惰性で走ることができる。このように、車両が止められる場合でさえ、摩擦リング９３および／または他の結合要素は調整されることができる。
図６に示された配置は、コスト効率が高い方法で前進及び後進ギアを提供するため、コーン形の摩擦リング変速機の回転方向反転を特に使用する。これはしたがって、回転方向を逆転させる他の全ての無段変速機に適切である。
加えて、図１から５における配置のように、図６に示された配置は、トルクがコーン形の摩擦リング変速機９１、９２、９３の周辺に伝導されることができるのを使用してアウトプット側と駆動側との両方の上に変速要素を有する。
図７に示される動力伝達系路もまた、図１から５における例示的な実施例に記載のように、駆動側上の電力分割器４１、および、アウトプット側上の電力分割器４２に割り当てられる無段部分変速としてのコーン形の摩擦リング変速機４０を備える。この場合、第１速ギア４３は、すでに記載されたように、駆動側上で同期した電力分割器４１および４２を経由してコーン形の摩擦リング変速機４０と並行して結合され、摩擦クラッチ４４、４５を経由して、駆動４６とアウトプット４７との間で動力伝達系路に交互に切替えられることが可能である。
【００３２】
図８において例示的に示された実施例は、特にコーン形の摩擦リング変速機において、連続変速機で両方の側面上での同軸アウトプットを都合よく実行する、駆動およびアウトプットの同軸配置を示す。この配置は、比較的低いハウジング負荷となり、極めてコンパクトに造られ、アウトプットシャフト５０は好ましくは ―  特にこの例示的な実施例において ― コーン形の摩擦リング変速機５２の駆動コーン５１を貫通している。この配置は、また他のタイプの連続変速機において、特に電動モータとの結合において都合がよく、アウトプットシャフトはまた、後者の場合において電動モータの電機子軸を通じて貫通することが可能である。
モータ（図示せず）は、したがって駆動５３経由で駆動し、この例示的な実施例において、駆動コーン５１は、交替でアウトプットコーン５５に作用する。このコーンは、アウトプットシャフト５０に設置されたアウトプットホイール５７にピニオン５６経由で機械的に結合される。
【００３３】
ハウジング６０が電動モータのハウジング６１に配置される図９に示された変速機は、類似した構造を有する。例示的な実施例においても同様に、電機子軸５３は空洞として実行され、アウトプットシャフト５０により貫通される。アウトプットピニオン５６は、しかしながら、２つの部分の駆動軸５０に交替で結合される差動装置５９の駆動輪５８によって係合する。歯車は、とにかくこの点で提供されなければならないので、この配置は極めてコンパクトに造られる。加えて、この配置はモータと連続変速機との間での補足として、トルク削減のための遊星ギア６２を有するので、無段変速機はオーバーロードしない。
図１０に示されるコーン形の摩擦リング配置８０は、図７、８および９における配置と結合して特に適用され、極めてコンパクトに、後退用ギアを実行する。この変速機８０は、リング８３経由で互いに相互作用する２つのコーン８１および８２を含む。コーン８２は、通常のコーン領域（Ｄ）に加えて、変速機ハウジング８６において交替で取り付けられるように固定され、かつ、その内部はコーン８２のコーン形の軸８７上で回転する遊星歯車８５の周囲を回転するコーンリング８４により、この例示的な実施例において実行される反対方向において回転している領域（Ｒ）を有する。このように、コーンリング８４は、コーン８２の残りの部分に対向して回転する。さらに、コーン８２は、リング８８を含むニュートラル領域（Ｎ）を有し、交替でコーン軸８７に載置されるので、自由に回転する。
【００３４】
この構成において、摩擦リング８３は、コーン８２の主領域（Ｄ）から、ニュートラルの領域（Ｎ）に最初に移動することができ、コーンリング８８は、メインコーン８２および摩擦リング８３によって予め設定される回転にそれ自体を適応させる。摩擦リング８３が逆の領域（Ｒ）に向かう方向にさらに移動する場合、主領域（Ｄ）から離れるので、ニュートラルの領域（Ｎ）の回転方向は、後退用リング８４の回転方向に適応されることができる。このように、後退用ギアは極めてコンパクトに実現される。
力および／または速度の分割機および／または加算器４１または４２が最適に切替えられ、変速比が最適に選ばれる場合、コーン形の摩擦リング変速機４０および回転軸４３が回転しても、アウトプットシャフト４７の停止が実行されるので、このタイプの後退用ギア８０、および／または、周知の方法で実行される回転方向反転のための配置さえも、図７において例示的に示した実施例では特に都合がよい可能性がある。このように、車両におけるすべての運転状況、すなわち、後進、前進および停止は、移行およびさらなるクラッチなしで実行される。そして、クラッチまたはさらなる変速段階が、満載状態または連続的な負荷動作のような追加的な運転状況に提供されることが確かにまだ可能である。
本質的に図１から５における配置と対応していて、繰返しの説明は省かれている図１１から１８に示される配置において、被同期切替ギア１２３および／またはコーン形のクラッチ１３４経由で動力伝達系路に交互に切替えることができる２つの変速経路１０１、１０２は、提供される。この場合、第１の変速経路１０１はまた、コーン１０５を囲む一方、摩擦リング１０７が動くコーン１０４、１０５の間に隙間６が残るように対向して配置された２つのコーン１０４、１０５を有するコーン形の摩擦リング変速機を有する。このコーン形の摩擦リング変速機がトルクを伝達することができるように、コーン１０４は、可変圧が適用される一方で、本質的に公知のおよび／または上記に記載の方法において２つのコーン１０４および１０５を支柱ベアリング１０９、１１０の間で支える圧力装置１０８を備える。このため、圧力装置は、円板ばね１２０を経て、および、以下に説明されるように、圧力装置１０８がトルクの機能として、拡大し、かつ、ベアリング１０９、１１０に対してそれ自体を対応して支持し、トルクの機能である圧力は適用されて支えられる２つの転動体１１７およびガイド本体１１８および１１９を有する。
【００３５】
特に図１１から明らかであるように、後退用ギアは、その変速経路１０２が主変速経路から分岐することを用い、駆動輪１２４を含む。切替ホイール１２５は、主差動装置１１５の外付けホイール１２７に交替で直接係合するピニオン１２６に被同期切替ギア１２３経由で連結されることができる中間のホイール１３０および１３３を経て駆動される。全体の配置は、極めてコンパクトに造られ、そして、駆動輪１２４が被同期切替ギア経由で駆動軸１２１に接続可能であり、かつ、外付けホイール１２７と直接係合する場合、さらによりコンパクトに実現されることができる。
この後退用ギア１０２に加えて、配置は連続変速機１０１によって実行される前進用ギアを含む。前進用ギアは、ピニオン１２９経由で外付けホイール１２７に、そして、したがって後退用ギア１０２に連結され、クラッチ１３４を経て係合され、かつ、分離される。一見して明らかであるように、部分変速経路１０１および１０２の特定の変速要素も、ギアが入っていない状況において惰性で走る。
【００３６】
上記で既に示されたように、圧力装置１０８は、クラッチ１３４と共に作用する。作動モードは、図１５から１８に基づいて最もはっきりと参照されることができる。図１５および１６に示されるように、圧力装置１０８は、伝達されたトルク機能として拡大することができる。この場合、図１５は高いトルク、したがって高圧での配置を示し、図１６は低圧での配置を示す。圧力は、トルクの機能として本質的に生成され、支持体１１９は、対照物１５０を経て、および、アウトプットシャフト１５１を経て支柱ベアリング１０９上にそれ自体を支持する。アウトプットピニオン１２９もまた、シャフト１５１上に設置される。加えて、シャフト１５１は、ニードル軸受１５２を経て中心にある本体１５３上放射状に載置される。トルクは、歯１５４（図１８を参照）および１５５を経てアウトプットコーン１０４から、アウトプットピニオン１２９まで伝達される。
圧力装置１０８において、これらのトルクがコーン１１７の移動を生じさせるので、圧力は、図１５および１６において明らかであるように、所望の方法で変化することができる。図１５から１８まで一見して明らかであるように、２つの本体１１９および１５０は、コーン面１５６、１５７（図１８参照）経由で互いに対して押圧する。最後に、２つのコーン面１５６、１５７は、圧力装置１０８によって閉じられる作動中のクラッチ１３４を形成する。クラッチ１３４を開けるため、全体の配置は、その中でピストン１５９が動き、油圧線１６０経由でそれに適用される圧力を有するハウジング上に固定されるシリンダ１５８を有する。ピストン１５９は、軸のベアリング１６１および支持体１６２経由で支持体１１９に載置される。ピストン１５９がそれに適用される圧力を有することができる場合、圧力装置１０８の圧力から、クラッチ１３４の本体１５０を外す。クラッチ１３４が開くと、トルクはもはや伝達されないので、圧力装置１０８は弛緩し、非常に軽微な圧力のみがクラッチ１３４を開く、または、それを開いていておくために適用されなければならない。クラッチ１３４が開いている場合、図１８において参照されるように、隙間１６３はコーン面１５６、１５７の間に残る。ピストン１５９および油圧線１６０の代わりに、本体１１９は外され、かつ、クラッチ１３４は開けられるような他の手段を備えることができることは、明らかである。クラッチ１３４を回避する一方、全体の変速機のハウジングに支持されることができる本体１１９を用いたあらゆる手段は、特に適切である。
ピストン１５９も回転しないので、比較的コスト的に効率よく封止されるという点で、図１５から１８に示された配置は、特に優れている。
【００３７】
配置は特に、クラッチを閉じるのに追加的な装置が必要でない利点を有する。加えて、閉鎖力は、圧力装置がいずれにせよこの点に関しては対応して備えられるので、伝達されるトルクの機能であり、かつ、それと共に増大する。
図１９および２０に示される配置は、直列にそれとともに結合されるコーン形の摩擦リング変速機２０１、および、後退用ギア２０２を各々備える。これらの例示的な実施例において、コーン形の摩擦リング変速機２０１は、本質的に全く同じに造られる、そして、各々は、軸方向に平行して配置され、かつ、互いの方に向いていて、摩擦リング２０５が、隙間２０５において置き換え可能であるインプットコーン２０３およびアウトプットコーン２０４を有するので、可変変速比は、摩擦リング２０５の位置の機能として設定される。摩擦リング２０６は、アウトプットコーン２０４がアウトプットピニオン２０７を担持する一方で、これらの例示的な実施例において駆動コーン２０３を囲む。コーン形の摩擦リング変速機がまた、具体的な実施例に依存して、異なって実行されてもよいことは明らかである。
【００３８】
図１９の例示的な実施例において、アウトプットピニオン２０７は、遊星ギア２１０の太陽歯車２０９を担持するアセンブリ２０８と直接係合する。図２０に示された配置もまた、アウトプットピニオン２０７によって駆動される太陽歯車２１２を有する遊星ギア２１１からなる。これは、太陽歯車２１２と共に回転するベルト２１３およびホイール２１４経由で実行される。十分に信頼性が高い力伝達が連続的に保証されることができる周知のベルトおよび／またはチェーン配置のすべては、ベルト２１３として使用されてもよい。
遊星ギア２１０および２１１の両方は、一方の側面でそれぞれ特定の太陽歯車２０９および２１２と係合し、他方の側面でそれぞれ特定の外付けホイール２１７および２１８と係合する遊星歯車２１５および２１６をそれぞれ有する。
図１９の実施例において、外付けホイール２１７は、差動装置２２０の回転マウント２１９に直接結合される。この構成では、遊星ギア２１０およびしたがって、後退用ギア２０２が、そうして差動装置２２０上に直接位置する。この配置は、動力伝達系路における変速要素の数が最小化されるので、この理由のために極めてコンパクトな構造および極めて高い効率を有することが示された。コンパクトな構造のため、直接差動装置２２０に配置される後退用ギア２０２が好都合であることは、本発明の残りの特徴から独立してさえも明らかである。他の点では、このタイプの配置は、最小数の変速要素のみを必要として、したがって、極めて高い効率を有するので、後退用ギアのインプットホイール、および、後退用ギアのアウトプットホイールと直接係合するアウトプットピニオン２０７が差動装置の回転マウントに直接結合される配置は、コーン形の摩擦リング変速機によって生じる方向反転の理由で現行の自動車エンジンのために都合がよい。
【００３９】
対照的に、図２０の実施例において、外付けホイール２１８は、アウトプットホイール２２１に結合されて、それとともに回転し、差動装置２２３の回転マウント２２２に交替で係合する。これによって生じる方向反転は、ベルト配置２１３によって補われ、図２０の例示的な実施例において後退用ギアは、中間軸２２４に、および／または周辺に配置される。中間軸２２４上の配置は、図２０の全体の配置がより柔軟にその空間配置を有するように実行されてもよいと図１９において提案された差動装置２２０への直接的な配置において、利点を有する。差動装置への直接的な近接した空間関係が第３のアセンブリによって制限される環境のために、これは特に都合が良い。中間軸２２４上の後退用ギアの配置が、−特に、それにより生じる回転方向変化のため−本発明の残りの特徴から独立してさえ都合がよいということは、明らかである。後者は、反対の回転方向を有する異種モータと結合してコーン形の摩擦リング変速機が使用されることになっている場合、特にあてはまる。このタイプの場合には、ベルト配置２１３は省かれる、そして、ピニオン２０７はカラー２１４によって係合する。さらにアウトプットコーン２０４が直接シャフト２２４上に配置される場合、別々のアウトプットピニオン２０７およびベルト配置２１３が完全に省かれるので、都合がよい。
【００４０】
加えて、コーン形の摩擦リング変速機２０１から生じる駆動が、外付けホイール２１７および／または２１８、および／または、太陽歯車２０９および／または２１２経由の代わりに後退用ギアの他の変速要素経由で発生することは、当業者にとって一見して明らかである。後退用ギアのアウトプットもまた、外付けホイール２１７および／または２１８経由で発生する必要はない。むしろ、太陽歯車および／または他の変速要素はまた、この目的のために使用される。
図１９および２０で例示的に図示された実施例において「前進」および／または「後退」状態を確実に保つため、遊星歯車２１５および／または２１６が取り付けられ、かつ、遊星歯車と共に回転するこれらの例示的な実施例のマウント２２５および／または２２６において、一体に固定された変速要素を使用して、固定システムはいずれの場合においても提供される。さらに固定システムは、特定の遊星ギア２１０および／または２１１の２つの変速要素の固定を互いに可能して提供される。この場合、図１９の例示的な実施例において、太陽歯車２０９および外付けホイール２１７は、互いに交互に固定され、図２０の例示的な実施例において、遊星歯車２１６の外付けホイール２１８および回転マウント２２６は、互いに交互に固定される。
【００４１】
クラッチ、傾斜ブレーキ、および／または、同期のような異なる固定システムは、ハウジングにおよび／または互いに変速要素を固定するために使用されることができる。これらのうちの３つは、例示的な図示された実施例において実施例として示され、そして、具体的な条件に依存して、さらに何にでも交換されることが可能である。
図１９の例示的な図示された実施例において、遊星歯車２１５のマウント２２５は、遊星歯車２１５のマウント２２５において交替で係合する制動ピニオン２２８を交互に制動することができる電磁ブレーキ２２７を使用して固定されることができる。したがって、回転方向がこの配置において変更されることになっている場合、ブレーキが起動するので、マウント２２５が太陽歯車２０９および外付けホイール２１７に関して減速される程度において、移動および／またはアウトプットの速度は、それが停止になるまで減少し、そして方向を変更する。
外付けホイール２１７および太陽歯車２０９は、ブレーキ２２９を経て固定され、遊星歯車２１５もまた、このように外付けホイール２１７および太陽歯車２０９に関して固定される。
この状態で、遊星ギア２１０が極めて低い損失によって動くので、この状況は、好ましくは前進のギアとして選択され、ブレーキ２２９に対応するブレーキもまた、例えば、マウント２２５と太陽歯車２０９および／または外付けホイール２１７との間に提供されることができることは、一見して明らかである。本質的に遊星ギア２１０を対応して停止し、全体として回転を許容するため、マウント２２５に関して遊星歯車２１５の回転を単に妨げるだけであることはまた、十分である。
【００４２】
図２０の例示的な実施例において、交互の固定は、遊星歯車２１６を担持し、かつ、それらと共に回転し、外付けホイール２１８と交互に、または、この例示的な実施例においてハウジング２３２上に固定される固定されたホイール２３１に関して同期されてもよいマウント２２６を用いて、同期２３０を経て実行される。この場合に起こるメカニズムは、図１９の例示的な実施例においてすでに説明されたメカニズムと一致するので、マウント２２６が、外付けホイール２１８の代わりに太陽歯車２１２によって同期されてもよいことは明らかである。
図２１に示される無段変速機は、インプットコーン３０１、および、互いに摩擦リング３０４、３０５経由で連結され、特定のアウトプットコーン３０２、３０３の周りをインプットコーン３０１へ回る２つのアウトプットコーン３０２、３０３を有する。コーン３０１、３０２、３０３の間に残っている隙間に沿って、摩擦リング３０４、３０５を移動させることによって、コーン３０１および３０２、または３０１および３０３によりそれぞれ形成された部分変速機３０６および３０７はそれぞれ、連続的に変化することができる。
アウトプット側面上では、２つの部分変速機３０６、３０７、および／または、２つのアウトプットコーン３０２、３０３は、加重ギア３０８経由でアウトプットシャフト３０９へ切替えられる。図２１の例示的な図示された実施例において、加重ギア３０８は、外付けカラー３１１を有する遊星ギア、遊星歯車３１２、および、太陽歯車３１３を備える。外付けカラー３１１は、コーン３０３のアウトプットシャフト３１６に配置されるピニオン３１５と交替で係合するさらなるカラー３１４に固定され結合される。太陽歯車３１３もまた、コーン３０２のアウトプットシャフト３１９に配置されるピニオン３１８と交替で係合するホイール３１７に固定され結合されて、それと共に回転する。さらに遊星歯車３１２は、アウトプットシャフト３０９に結合され、アウトプットシャフト３０９および遊星歯車３１２と共に回転するマウント３２０に取り付けられる。したがって、加重ギア３０８は、ピニオン３１５、３１８および／またはアウトプットコーン３０２、３０３の速度が変速比および摩擦リング３０４、３０５の位置に依存し、シャフト３０９の総速度に合計されて提供される。変速比は、摩擦リング３０４、３０５の同一の位置、すなわち、２つのアウトプットコーン３０２、３０３の同一の速度と共に、遊星歯車３１２は、マウント３２０における内在性の回転に関して静止し、単に外付けカラー３１１および太陽歯車３１３と共に回転するだけであるように好ましくは選ばれる。このように、連続運転の損失は最小化されることができる。加えて、クラッチ３２１は、駆動コーン３０１に直接結合されることができる、または、具体的な実施例に従って速度変換ギア経由で結合されるアウトプットシャフト３０９を用いて、損失を最小化するために使用されることができるので、無段変速機の利点がいずれにせよ使用されず、このタイプの無段変速機に不必要な損失をさせる特に高速かつ比較的均一の速度において、２つの部分変速機３０６、３０７は、回避される。
【００４３】
一見して明らかであるように、加重ギア３０８は、２つのコーン３０２、３０３の速度を合計し、そして、また、これらのコーン３０２、３０３に適用されるトルクのためのトルクバランスとして使用される。
図２２における例示的な図示された実施例は、本質的に図２１の例示的な実施例と一致するので、全く同じに作用しているアセンブリもまた、同一の参照番号を有し、同一の機能の繰り返しは省かれる。図２１における例示的な実施例の特徴に加えて、図２２の例示的な実施例も、遊星歯車３１２の回転マウント３２０が外付けカラー３１１に固定されることができる固定クラッチ３２２を有し、そしてさらに、マウント３２０およびアウトプットシャフト３０９が固定クラッチハウジングに固定されることができるクラッチ３２３を有する（さらに詳細な図示せず）。第１のクラッチ３２２は、特定の作動状況における遊星歯車３１２の内在性の回転を停止させるために使用されるので、遊星歯車３１２による損失は避けられ、ハウジング３２０およびシャフト３０９は、外付けカラー３１１および太陽歯車３１３と共に回転する。第２のクラッチ３２３は、遊星歯車３１２を適当であるが、それ自身の軸の周りを回転可能である位置に保つために使用される。この配置は、変速機がその外付けカラーおよび太陽歯車３１３は反対方向に回転することができる、および／または、回転するように設計される変速機との相互作用のために特に提供される。これは例えば、追加的な配置された歯車によって、または、部分変速機３０６、３０７のうちの少なくとも１つと加重ギア３０８との間の変速経路における別々の後退用ギアによってさえ実行されることができる。このタイプの配置において、駆動コーン３０１が回転する場合であっても、０速度がシャフト３０９に生じるように、加重ギア３０８は、２つの部分変速機３０６、３０７経由で起動することができる。この状態で、クラッチ３２３は変速機を固定するために使用されることができる。このタイプの配置において、それから摩擦リング３０４、３０５を単に調整すること、および／または、部分変速機３０６、３０７を調整することによってアウトプットシャフト３０９を始動することが可能である。
本質的に図２３に示される配置は、図２１の配置と一致する。２つの配置の部分変速機３０６、３０７は、したがって同一である。加重ギア３０８のみは、図２３における配置で、図２１における配置でのそれと異なって実行される。そういうわけで、対応する部品、および、それらの運転モードのより詳細な説明もまた、ここで省略される。
【００４４】
図２３に示された無段変速機において、アウトプットシャフト３０９は、遊星ギアの外付けカラー３２４に、直接結合されて、それと共に回転する。加えて、遊星歯車３１２は、遊星歯車３１２およびホイール３２６と共に回転することができるマウント３２５に取り付けられ、ホイール３２６は、コーン３０３のアウトプットシャフト３０６上のピニオン３１５と係合している。対照的に、太陽歯車３１３は、図２１および２２の例示的な実施例に記載のように、コーン２のアウトプットシャフト３１９上のピニオン３１８と係合するホイール３１７に結合される。
したがって図２３に示されるギア３０８もまた、加重ギアとして作用して、２つの部分変速機３０６、３０７の速度を加える、および／または、減ずる。
また、図２４に示される配置は、その部分変速機３０６、３０７に関して、図２１から２３に示される配置と本質的に一致する。本質的に、ギア３０８のみは異なって実行される。この場合、加重ギア３０８は、それぞれがアウトプットシャフト３１６および３１９に配置されるコーン３０３および３０２の傘歯車３２７および３２８経由でそれぞれ駆動される。このため、傘歯車３２７および３２８は、それぞれ自身の軸のまわりを回転する差動装置の、固定された傘歯車３３１および３３２に交替で結合される傘歯車３２９および３３０とそれぞれ係合する。図２４におけるギアのアウトプットは、それぞれ差動装置の傘歯車３３１および３３２と交替で係合する差動装置の回転傘歯車３３３および３３４の軸受に結合される歯車３１０を経て発生する。一見して明らかであるように、加重ギアもまた、この配置により備えられる。
【００４５】
図２５における例示的な実施例の基本的な構造は、図２４における例示的な実施例と一致するので、ここで、加重ギア３０８もまた、アウトプットホイール３３６を用いて傘歯車３３７経由でアウトプットシャフト３０９を駆動する差動装置３３５により本質的に形成される。加えて、アウトプットホイール３３６は、駆動コーン３０１に被同期クラッチ３３９を経て交替で接続可能である傘歯車３３８と係合するので、２つの部分変速機３０６、３０７は必要に応じて回避されることができる。さらに、この配置において、アウトプットコーン３０２、３０３のアウトプットシャフト３１６、３１９はそれぞれ、被同期クラッチ３４０および３４１経由で、固定された軸の周りを回る差動装置の傘歯車に結合される傘歯車３４６および３４７とそれぞれ交替で係合する傘歯車３４２、３４３、および、３４４、３４５に交互にスイッチで切り替え可能である。部分変速機３０６、３０７の活発な回転方向は、したがってクラッチ３４０および／または３４１によって、容易に変更されることができるので、図２５における変速機が極めて用途が広い変速機挙動を有する。
示されたコーン形の摩擦リング変速機３０６、３０７の代わりに、他の無段変速機もまた、本発明によるこのタイプの無段変速機のための部分変速機として都合よく使用されることができることは、明らかである。図２１から２５において一見して明らかであるように、部分変速機３０６、３０７は、互いに各々並列に配置され、すべて図面の平面に位置する特定のコーン体軸３４８、３４９、３５０により定義される部分変速面を有する。このように、変速機は極めて平らに造られ、それらは例えば、荷重表面の下で提供されるので、トラックおよび／または小さいトラックに用いられるために特に適切である。より高いトルクで２つの部分変速機を使用することにより良い効率で作動する本発明よる変速機は、現代のディーゼルエンジンによって適用されるので、極めて高圧力は、２つの部分変速機を使用することにより避けることができるため、それは、いっそう適切である。
【００４６】
すでに、図２１から２４における記載および例示的な実施例に基づいて示され、図２５における例示的な実施例に基づいて例示的な用途のために説明されたように、変速機の全体の特徴は、部分変速機３０６、３０７が加重ギア３０８に作用する回転方向の選択によって、かなり影響される可能性がある。特に、このタイプの後退用ギアおよび／または回転方向を変更する部分変速機は、都合がよい。この点に関する変形例は、上述の部分変速機８０の例証として図１０において説明された。
図２１から２５に示された変速機において、力の流動もまた、後退として選ばれることができるので、アウトプット要素３０９、３１０はインプット要素として使用され、インプットコーン３０１はアウトプットコーンとして使用されることは、明らかである。
図１４から１７までと同様に図１、４、８、および９から推定されるように、その中で示された無段変速機は、封止７０によりそれらの軸受の方向に各々封止される（実施例としてのみ確認される）。関連技術から分かるように、別個の流体容器はコーンと結合要素が位置付けられている部分へ位置付けられる。例示的な本実施例において、約１０から３０モルパーセントのポリジメチル・シロキサンのメチレン基が好ましくはフェニル基と置換され、２５°Ｃの粘性が好ましくはほぼ２００ｍｍ２／秒である「シリコーンオイル」は、流体として好ましくは使用される。しかしながら、その物理的および化学的なパラメータの温度依存が、鉱油の温度依存に関して安定し、および／または、温度に依存する圧縮変化度および／または温度に依存する粘性変化度に関して、鉱油の変化度とシリコーンオイルの変化度との間に位置する他のいかなる流体も使用されることができる。
例示的な流体および／または上記の液体の温度依存は、一例として図２６において対数関数的な形状で示され、白線８９ａは、鉱油を表し、白線８９ｂは、シリコーンオイルを表している。これらの流体は、流体によって架橋された隙間が、コーン４、５；５１、５５、８１、８２、９１、９２、１０４、１０５、２０３、２０４、３０１、３０２、３０３と、結合要素７；５４、８３、９３、１０７、２０５、３０４、３０５との間で、形成されてもよいという運転条件を保証する。この隙間の存在は、電気電圧測定を通じて金属部品において検出され、例えば、この隙間が数回転した後のみに形成される、すなわち、流体が分配される場合、実験的に決定されてきたので、隙間の寸法に関して、圧縮性および粘性が最適に選ばれることになっている。この場合、対応する隙間が運転条件において維持されるというように、支柱および／または圧力装置は必要な大きさにされる。
異なる動作経路のため、およびしたがって、コーン４、５；５１、５５、８１、８２、９１、９２、１０４、１０５、２０３、２０４、３０１、３０２、３０３の異なる半径の均一の表面圧を保証するため、軸方向に異なるように、各々のコーンの動作表面１２は好ましくは実行される。現在の例示的な実施例において、これは異なる幅（図示せず）の溝で実行される。あるいは、軸方向に異なる表面粗さ測定器または類似した何かが、備えられてもよい。
【００４７】
摩擦リング７；５４、８３、９３、１０７、２０５、３０４、３０５の表面は、摩擦リング７１に基づいて図２７における例示的な用途のために示されたように、コーン４、５；５１、５５、８１、８２、９１、９２、１０４、１０５、２０３、２０４、３０１、３０２、３０３と、摩擦リング７；５４、８３、９３、１０７、２０５、３０４、３０５との間で残っている隙間において液体の剪断力に影響するために好ましくは溝を備えている。摩擦リング７１は、コーン４、５；５１、５５、８１、８２、９１、９２、１０４、１０５、２０３、２０４、３０１、３０２、３０３の表面と相互作用する摩擦リング７；５４に基づいて説明されたように、２つの回転表面７２、７３をそれぞれ有する。この場合、表面７２、７３は異なる表面設計を有する。例えば、台形の力板７４（図２７ｂ参照）は特に都合が良い。なぜなら、リング７１の残りの材料上に、特によくそれ自身を支持するからである。累積的におよび／または代替的に、直径に沿って対向する表面における内部のフランジが避けられるような、丸い溝の吸気口（図２７ｂおよび２７ｃ参照）は、提供される。丸い溝吸気口７５はまた、油膜および／または表面圧の分配のために都合がよいようである。丸い溝の底面７６（図２７ｂ、２７ｃおよび２７ｄ参照）は、対照的に、負荷の下において溝底面の切欠き効果を避けることができる。本質的に立方形の力板７７（図２７ｃ参照）もまた、備えることができる。図２７ｄおよび２７ｅに示されたように、丸い外部の断面形状７９を有する力板７８もまた、使用される。
このタイプの溝は、具体的な実施例に従い、摩擦リングの表面に全く同じに、および／または、両方のコーンで異なって提供される。特に、軸方向における溝および／または力板の分配は、表面上において変化することができる。このように、例えば、表面圧および／または表面圧分配は変化、および／または、コーンに沿ってさえも最適に設定されてもよく、および／または、オイル膜厚は適応することができる。特に溝横断面は、この場合における特定の変速要素の接点領域からのオイルの排液量を主に決定する。
【００４８】
加えて、摩擦リングは、好ましくは冠部を持つ横断面を有するので、隙間の存在にもかかわらず、大きい可能な接点領域はヘルツ応力を経て実行される。
摩擦リング７、５４、８３、９３、１０７、２０５、３０４、３０５それ自体（例示的な用途にのみのため、図２８から３１において７、５４と番号をつけられた）は、図２８に示されるように、作動ブリッジ９１がその上で動作し、かつ、軸９２の周りを回転可能であるよう取り付けられた保持器９０により、現在の例示的な実施例において周知の方法で保持される。しかしながら関連技術に反して、作動ブリッジ９１は、保持器９０の角度が変わる場合、自由に動かず、むしろ、アクチュエータ９３経由で、ハウジング３２に載置された主軸９４において明らかに制御されるので、それは回転可能である。この場合、十分な遊びは、アクチュエータ９３と作動ブリッジ９１との間で提供されるので、アクチュエータ９３の移動は最初に、保持器９０の角度を変更させ、その後、リング７、５４、８３、９３、１０７、２０５、３０４、３０５は回転軸において対応して移動する、そして、アクチュエータ９３の移動が続く。
それ自体の力によるリング７、５４、８３、９３、１０７、２０５、３０４、３０５の調整の角度が重大な意味を持つので、保持器９０の角度に関するプレテンションは、ハウジング３２と保持器９０との間のばね９５によって、この例示的な実施例において実行される。その結果、作動ブリッジ９１とアクチュエータ９３との間の遊びは、図２９に概略的に示されているように、意図的でなく保持器９０の角度を変更させない。
加えて、作動ブリッジ９１が動いてもよいハウジング３２上に（図３０において例示的な用途のために示される）端部ストッパ９６があり、これらの端部ストッパは、リング７、５４、８３、９３、１０７、２０５、３０４、３０５が回転軸に関してコーン体軸に並列に整列配置され、したがって、もはや移動しないように置かれている。このように、リングの位置決め装置が故障した場合、変速機の完全な破壊は防ぐことができる。作動ブリッジ９１の対応する位置を表示するセンサもまた、この点において備えられてもよい。
代替調整可能性９７は、図３１に示され、この実施例バリエーションは、極めてコスト的に効率よく造られる。この実施例バリエーションにおいて、リング７、５４、８３、９３、１０７、２０５、３０４、３０５は保持装置９８によって一方の側面のみに導かれる。この保持装置は、アプローチ側に備えられるので、選択された図において、最初に保持装置９８から始まるリング７、５４、８３、９３、１０７、２０５、３０４、３０５は最初にコーン４、５；５１、５５、８１、８２、９１、９２、１０４、１０５、２０３、２０４、３０１、３０２、３０３の間の隙間を通過し、そしてそれが再び保持装置９８に達する前にコーン５；５１、８１、９１、１０５、２０３、３０２、３０３の周りを回転する。保持装置９８は、主軸９９に載置され、かつ、十分な遊びでリングを囲むので、移動する動きを実行し、それ自体の力により保持装置９８の動きに続くコーン体軸により形成される平面から、その回転軸の角度を移動させることができる。保持装置９８の遊びの変形例として、主軸として実行されるアクチュエータ９９に関して図３１の図面の平面における回転自由度を備えることができ、かつ、本質的に遊びなしでリングを導く。
【００４９】
リング７、５４、８３、９３、１０７、２０５、３０４、３０５が、回転軸に対して垂直なトルクを有して実行される場合、休止１００上に一方の側のリング７、５４、８３、９３、１０７、２０５、３０４、３０５を導くのみである保持装置は、備えることができ、このトルクを妨げ、および、 ― 所望の移動に従い ― リングから離れるように移動するので、それ自体の力によりコーン体軸によって形成される平面から、その回転軸の回転運動を完成し、再び適切にそれを整列配置し、またはリングの回転軸がその方へ動くように旋回する誘導装置に達するまで、移動し始める。その結果、それは誘導装置がもはや続かなくなるまで、誘導装置から離れて移動し、それが再び誘導装置に達するまで、再びそれ自体のトルクでその回転軸の方へ旋回して戻る。
後者の配置は、リング７、５４、８３、９３、１０７、２０５、３０４、３０５の特に大きい量の遊びを許容するので、それは摩擦損失が最小化されるように非常に独立して、かつ、自動安定的に移動することができる。
【図面の簡単な説明】
【００５０】
【図１】第１の変速機の図２における線I-A-B-C-D-Iに沿った断面を示す；
【図２】図１の変速機の概略側面図を示す；
【図３】図１の変速機の概略図を示す；
【図４】アウトプットコーンの拡大図を示す；
【図５】図１から４までの変速機の圧力装置のバネ要素の上面図を示す；
【図６】後続の変速機の概略図を示す；
【図７】後続の変速機の概略図を示す；
【図８】同軸駆動およびアウトプットを有するさらなる可能な変速機の概略図を示す；
【図９】同軸駆動およびアウトプットを有する代わりのさらなる変速機の概略図を示し、摩擦リングは２つの作動位置に示されている；
【図１０】本発明の変速機の可能な後退用ギアを示す；
【図１１】図３に記載の図に類似したタイプのさらなる変速機の概略図を示す；
【図１２】差動装置、後退用ギアおよびアウトプットコーンの取付けを通じた図１１の変速機の断面を示す；
【図１３】差動装置、後退用ギアおよびアウトプットコーンの取付けを通じた図１１および１２の変速機の断面を示す；
【図１４】図１に記載の類似した図における図１１から１３の変速機を示す；
【図１５】拡大された圧力装置での図１４における詳細拡大図を示す；
【図１６】収縮された圧力装置での図１５における配置を示す；
【図１７】開放されたコーンクラッチでの図１５および１６の配置を示す；
【図１８】図１７における詳細拡大XVIIIを示す；
【図１９】補助的なおよび／または代替の後退用ギアの概略図を示す；
【図２０】さらなる補助および／または代替の後退用ギアの概略図を示す。
【図２１】２つの部分変速機への無段変速機の可能な分解の概略図を示す；
【図２２】追加の切替可能性を有する図２１の変速機を示す；
【図２３】図２１および２２に記載の類似した図において、２つの部分変速機への無段変速機のさらなる可能な分解の概略図を示す；
【図２４】図２１から２３に記載の類似した図において、２つの部分変速機への無段変速機のさらなる可能な分解の概略図を示す；
【図２５】追加の切替可能性を有する図２４に記載の切替ギアを示す；
【図２６】典型的なシリコーンオイルのための温度の関数として粘性を示す；
【図２７】ａは、結合要素および／または摩擦リングを通じた概略断面を示し、図２７ｂからｅは、図２７ａにおける詳細Aの詳細拡大図の異なる表面設計を示す；
【図２８】概略上面図における図１の変速機の作動ブリッジを示す；
【図２９】図１および２８における作動ブリッジのプレテンションを概略的に示す；
【図３０】図２８および２９における保持装置のための端部ストッパを概略的に示す；
【図３１】図２８から３０に示された保持装置のための別の実施例を示す。
【図１】
2006501426.tif 000003
【図２】
2006501426.tif 000004
【図３】
2006501426.tif 000005
【図４】
2006501426.tif 000006
【図５】
2006501426.tif 000007
【図６】
2006501426.tif 000008
【図７】
2006501426.tif 000009
【図８】
2006501426.tif 000010
【図９】
2006501426.tif 000011
【図１０】
2006501426.tif 000012
【図１１】
2006501426.tif 000013
【図１２】
2006501426.tif 000014
【図１３】
2006501426.tif 000015
【図１４】
2006501426.tif 000016
【図１５】
2006501426.tif 000017
【図１６】
2006501426.tif 000018
【図１７】
2006501426.tif 000019
【図１８】
2006501426.tif 000020
【図１９】
2006501426.tif 000021
【図２０】
2006501426.tif 000022
【図２１】
2006501426.tif 000023
【図２２】
2006501426.tif 000024
【図２３】
2006501426.tif 000025
【図２４】
2006501426.tif 000026
【図２５】
2006501426.tif 000027
【図２６】
2006501426.tif 000028
【図２７】
2006501426.tif 000029
【図２８】
2006501426.tif 000030
【図２９】
2006501426.tif 000031
【図３０】
2006501426.tif 000032
【図３１】
2006501426.tif 000033
【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
摩擦でトルクを伝達することができる少なくとも２つの回転変速要素を有する回転変速機であって、
前記回転変速要素および／または前記変速要素間の１つの結合要素のうちの少なくとも１つは、メチル・シロキサン、ジメチル・ジフェニル・シロキサン、および／または、フェニル基を有するメチル・フェニル・シロキサン、および／または、アルキル置換γ-トリフルオロプロピル置換メチル・シロキサンからなる液体によって湿らされることにおいて特徴づけられる回転変速機。
【請求項２】
請求項１に記載の変速機であって、
前記回転変速要素および／または連結要素のうちの少なくとも１つは、ポリジメチル・シロキサン、ポリジメチル・ジフェニル・シロキサン、および／または、フェニル基を有しおよび／またはアルキル置換γ-トリフルオロプロピル置換されたポリメチル・フェニル・シロキサンからなる液体で湿らされることにおいて特徴づけられる変速機。
【請求項３】
請求項２のうちの１つに記載の変速機であって、
前記湿らせる液体は、第１の前記回転変速要素と第２の前記回転変速要素との間、または、前記第１の回転変速要素と前記結合要素との間に位置することにおいて特徴づけられる変速機。
【請求項４】
請求項１から３に記載の変速機であって、
前記液体は、有機置換基を有する成分を具備することにおいて特徴づけられる変速機。
【請求項５】
請求項１から４のうちの１つに記載の変速機であって、
前記回転変速機および／または前記連結要素のうちの少なくとも１つは、温度に関してその粘性が安定する液体により湿らされることにおいて特徴づけられる変速機。
【請求項６】
請求項１から５のうちいずれか１つ（訳注＊１）に記載の変速機であって、
前記回転変速要素および／または前記連結要素のうちの少なくとも１つは、鉱油の粘性変化度（８０）とジメチル・シロキサンの粘性変化度（８１）との間に位置する粘性が温度に依存する粘性変化度により変更する液体で湿らされることにおいて特徴づけられる変速機。
【請求項７】
請求項１から６のうちの１つに記載の変速機であって、
前記回転変速要素および／または前記連結要素のうちの少なくとも１つは、鉱油の圧縮性変化度とジメチル・シロキサンの圧縮性変化度との間に位置する圧縮性が温度に依存する圧縮性変化度により変更する液体で湿らされることにおいて特徴づけられる変速機。
【請求項８】
請求項１から７のうちの１つに記載の変速機であって、
少なくとも１つの回転変速要素の動作経路は、異なる表面を有することにおいて特徴づけられる変速機。
【請求項９】
請求項８に記載の変速機であって、
異なる幅および／または異なる表面組織および／または表面処理の溝または突起は、前記回転変速要素の少なくとも１つに沿って提供されることにおいて特徴づけられる変速機。
【請求項１０】
請求項１から９のうちの１つに記載の変速機であって、
前記連結要素は、処理された表面を有する少なくとも１つの動作表面、特に溝を有する少なくとも１つの動作表面を有することにおいて特徴づけられる変速機。
【請求項１１】
請求項１から１０のうちの１つに記載の変速機であって、
特に、前記結合要素の前記動作表面および／または、前記対応する変速要素の前記対応する動作表面を湿らす液体と共に、前記結合要素の単一の側のホルダと共に、前記結合要素は、直線から逸脱している横断面を有する少なくとも１つの動作表面を有し、できるだけ凹状のおよび／または山状の横断面を有することにおいて特徴づけられる変速機。
【請求項１２】
無段部分変速機を有する請求項１から１１のうちの１つに記載の変速機であって、
２つの変速経路が並列に結合され、かつ無段部分変速機が前記２つの変速経路の第１の経路において提供されていることにより特徴づけられる変速機。
【請求項１３】
請求項１２に記載の変速機であって、
後退用ギア、第１速ギア、および／または、オーバードライブは、前記２つの変速経路の第２の経路において提供されることにおいて特徴づけられる変速機。
【請求項１４】
請求項１２または１３に記載の変速機であって、
少なくとも１つのフリーホイールは、前記２つの変速経路の間で提供されることにおいて特徴づけられる変速機。
【請求項１５】
請求項１２から１４のうちの１つに記載の変速機であって、
前記無段部分変速が、差動装置ギア部または遊星ギア部のような２つの電力分割器（４１、４２）の間に位置し、前記無段部分変速の少なくとも１つのインプットは、少なくとも１つのインプット側の電力分割器のアウトプットに機械的に結合され、かつ、前記無段部分変速機の少なくとも１つのアウトプットは、少なくとも１つのアウトプット側の電力分割器のインプットに機械的に結合されていることにおいて特徴づけられる変速機。
【請求項１６】
請求項１から１５のうちの１つに記載の変速機であって、
少なくとも１つの前進用ギアおよび少なくとも１つの後退用ギアは、差動装置ギア部（２３）により実行され、前記差動装置ギア部の少なくとも１つのアセンブリは、前記ハウジング、および／または、前記差動装置ギア部の他のアセンブリと交互に固定されることが可能であることにおいて特徴づけられる変速機。
【請求項１７】
請求項１から１６のうちの１つに記載の変速機であって、
切替ギア部（３）経由で交互に係合されることができる少なくとも２つの変速経路（１、２）により特徴づけられる変速機。
【請求項１８】
請求項１７に記載の変速機であって、
前記２つの変速経路のアウトプットは、前記２つの変速段階の一方から他方へ切替る前に前記第２の変速経路の速度は、無段変速機により前記第１の変速経路の速度に適応することができるように連結されることにおいて特徴づけられる変速機。
【請求項１９】
請求項１７または１８に記載の変速機であって、
前記第２の変速経路は、差動ギア要素（２３）を備えることにおいて特徴づけられる変速機。
【請求項２０】
請求項１７から１９のうちの１つに記載の変速機であって、
第３の変速経路が、第２の切替ギア部、および／または、フリーホイールを経て係合されることができることにおいて特徴づけられる変速機。
【請求項２１】
請求項１７から２０のうちの１つに記載の変速機であって、
切替ギア部（３）は、前記無段部分変速機（１）をトリロクコンバータ（２０）のポンプホイール（２１）に連結し、かつ、前記第２の変速段階（２）は、前記トリロクコンバータ（２０）のタービンホイール（２２）に連結されることにおいて特徴づけられる変速機。
【請求項２２】
請求項１から２１のうちの１つに記載の無段部分変速機を有する変速機であって、
同軸的に配置された駆動（５３）およびアウトプット（５０）によって特徴づけられる変速機。
【請求項２３】
請求項２２に記載の変速機であって、
連続変速機のアウトプット（５６）によって駆動される差動装置ギア部（５９）は、前記同軸アウトプット（５０）において提供されることにおいて特徴づけられる変速機。
【請求項２４】
請求項１から２３のうちの１つに記載の変速機であって、
無段部分変速のための電動モータ駆動によって特徴づけられる変速機。
【請求項２５】
請求項１から２４のうちの１つに記載の変速機であって、
始動クラッチおよび／またはコンバータ（トリロクコンバータ）、摩擦ディスク配置、油圧クラッチ、または、同期のような解放点は、前記アウトプット側面に提供されることにおいて特徴づけられる変速機。
【請求項２６】
請求項１から２５のうちの１つに記載の変速機であって、
始動クラッチおよび／またはコンバータ（トリロクコンバータ２０）、摩擦ディスク配置、油圧クラッチ、または、同期（３）のような解放点は、前記駆動側面に提供されることにおいて特徴づけられる変速機。
【請求項２７】
請求項１から２６のうちの１つに記載の変速機であって、
２つの部分変速機（１、２；１０１、１０２）は、共に導かれ、および／または、続く変速経路（１５、１１５）の駆動（２７；１２７）においてそれらのアウトプット（２６、１２６；２９；１２９）と係合することにおいて特徴づけられる変速機。
【請求項２８】
請求項２７に記載の変速機であって、
前記続く変速経路の駆動（１２７）は、自動車の前記主差動装置（１１５）であることにおいて特徴づけられる変速機。
【請求項２９】
請求項２７または２８に記載の変速機であって、
前記２つの部分変速機（１、２；１０１、１０２）の各々は、係合および／または分離されることができることにおいて特徴づけられる変速機。
【請求項３０】
異なる軸で回転する少なくとも２つの変速要素は圧力装置を経て互いに支えられる請求項１から２９のうちの１つに記載の変速機であって、
クラッチ要素（１３４）は、前記２つの変速要素（１０４、１０５）が交互に、クラッチ要素（１３４）を開けることにより第３の変速要素（１１５、１２９）から分離され、または、前記クラッチ要素（１３４）を閉じることにより前記第３の変速要素（１１５、１２９）に結合されることができ、かつ、前記圧力装置（１０８）により適用された前記圧力によって閉じるように提供されることにおいて特徴づけられる変速機。
【請求項３１】
請求項３０に記載の変速機であって、
前記クラッチ要素（１３４）は、コーンクラッチ（１５６、１５７）を備えることにおいて特徴づけられる変速機。
【請求項３２】
先行する請求項のうちの１つに記載の変速機であって、
前記無段変速機（２０１）と直列に、前記アウトプット（２０４）の後ろに提供される後退用ギア（２０２）を有する変速機。
【請求項３３】
請求項３２に記載の変速機であって、
前記後退用ギアは、遊星歯車を備え、前記遊星歯車は、前記遊星歯車の少なくとも１つの変速要素（２１５、２１６）を取り付け、かつ、固定されたマウント（２２７、２３２）および／または、回転変速要素（２０９、２１７；２１２、２１８）と交互に固定されることができる少なくとも１つの回転ギア・マウント（２２５、２２６）を有することにおいて特徴づけられる変速機。
【請求項３４】
請求項３２または３３に記載の変速機であって、
前記後退用ギア（２０２）は、第１の変速要素（２０９、２１２）が、前記コーン形の摩擦リング変速機（２０１）のアウトプット（２０７）に機械的に結合され、第２の変速要素（２１７、２１８）が、変速機（２０１）および後退用ギア（２０２）からなる全体の配置のアウトプット（２２０、２２３）に、機械的に結合され、一方で、第３の変速要素（２１５、２１６）が、マウントまたはハウジング（２２７、２３２）に関係して少なくとも１つの自由度に関して固定されることができる遊星歯車（２１５、２１６）を有する遊星ギア（２１０、２１１）、太陽歯車（２０９、２１２）、および、外付けホイール（２１７、２１８）を備えることにおいて特徴づけられる変速機。
【請求項３５】
請求項３４に記載の変速機であって、
前記第３の変速要素は、遊星歯車であることにおいて特徴づけられる変速機。
【請求項３６】
請求項３４または３５に記載の変速機であって、
前記第１の変速要素は、前記アウトプットコーンで回転するピニオン（２０７）により駆動されることにおいて特徴づけられる変速機。
【請求項３７】
請求項３４から３６のうちの１つに記載の変速機であって、
前記第２の変速機は、前記差動装置（２２０）の前記回転マウント（２１９）に結合されて回転することにおいて特徴づけられる変速機。
【請求項３８】
請求項３４から３７のうちの１つに記載の変速機であって、
前記変速要素の２つにおける好ましくは前記第１および前記第２の変速要素は、互いに固定されることができることにおいて特徴づけられる変速機。
【請求項３９】
請求項３３から３９（訳注＊２）のうちの１つに記載の変速機であって、
前記クラッチ（２２９）、傾斜ブレーキ（２２７、２２８）、および／または、同期（２３０）は、固定のために使用されることにおいて特徴づけられる変速機。
【請求項４０】
先行する請求項の１つに記載の変速機であって、
加重ギア（３０８）を経由してインプットおよび／またはアウトプット要素（３０９、３１０）で切替えられる２つの無段部分変速（３０６、３０７）が、提供されることにおいて特徴づけられる変速機。
【請求項４１】
請求項４０に記載の変速機であって、
前記２つの無段部分変速（３０６、３０７）は、前記加重ギア（３０８）から離れて面する側部上に共有の変速要素（３０１）を有することにおいて特徴づけられる変速機。
【請求項４２】
請求項４０または４１に記載の変速機であって、
各々がインプットシャフト軸（３４９）およびアウトプットシャフト軸（３４８、３５０）有する前記２つの無段部分変速（３０６、３０７）は、部分変速面において本質的にそれに対して並列に配置され、前記部分変速面は、並列に配置されることにおいて特徴づけられる変速機。
【請求項４３】
請求項４２に記載の変速機であって、
前記２つの部分変速面は、同一であることにおいて特徴づけられる変速機。
【請求項４４】
請求項４０から４３のうちの１つに記載の変速機であって、
前記２つの部分変速機は、共有のインプットシャフト（３０１、３４９）、または、共有のアウトプットシャフト（３０９）を有することにおいて特徴づけられる変速機。
【請求項４５】
請求項４０から４４のうちの１つに記載の変速機であって、
さらに調整可能な部分変速機（３２１、３３９、３４０、３４１）、特に切替ギアおよび／または後退用ギアは、少なくとも１つ前記無段部分変速（３０６、３０７）と前記加重ギア（３０８）との間で提供されることにおいて特徴づけられる変速機。
【請求項４６】
請求項４０から４５のうちの１つに記載の変速機であって、
前記無段変速機（３０６、３０７）の少なくとも１つは、回避されることができる（３２１、３３９）ことにおいて特徴づけられる変速機。
【請求項４７】
請求項４０から４６のうちの１つに記載の変速機であって、
前記加重ギア（３０８）は、少なくとも１つの固定可能な変速要素（３１２、３２０）を有することにおいて特徴づけられる変速機。
【国際調査報告】
2006501426.tif 000034
2006501426.tif 000035
2006501426.tif 000036
2006501426.tif 000037
2006501426.tif 000038
2006501426.tif 000039
2006501426.tif 000040
2006501426.tif 000041
2006501426.tif 000042
2006501426.tif 000043
2006501426.tif 000044